(57)【特許請求の範囲】
【請求項１】
制御基板と、
内部空間に前記制御基板を収容する基板ボックスと
を備え、
前記基板ボックスは、当該基板ボックスの内部空間の少なくとも一部を規定する第１ボックス構成体と第２ボックス構成体とを備えているとともに、それら第１ボックス構成体及び第２ボックス構成体は相互に結合されており、
前記第１ボックス構成体及び前記第２ボックス構成体には、前記基板ボックスの内部空間を規定する規定部を複数の領域に区画するとともに、それら第１ボックス構成体及び第２ボックス構成体の結合状態を解除して前記内部空間を開放する場合よりも当該内部空間を開放しやすいように切断しやすく形成された切断部が前記第１ボックス構成体及び前記第２ボックス構成体の両者に設けられており、
前記切断部が切断されることにより、前記第１ボックス構成体及び第２ボックス構成体に連続するとともに、前記制御基板の少なくとも一部を露出させる開口が形成され、
前記切断部は、当該切断部を切断して前記開口が形成されることにより前記制御基板をその板面と平行な所定の方向に移動させることを可能とするものであり、当該移動によって前記開口を通じて前記制御基板の取り外しを可能とするように構成されており、
前記制御基板は長板状をなしており、当該制御基板の長手方向が前記所定の方向と同じ方向となるように設定されていることを特徴とする遊技機。
【発明の詳細な説明】
【技術分野】
【０００１】
本発明は、遊技機に関するものである。
【背景技術】
【０００２】
遊技機としては、パチンコ遊技機やスロットマシン等が知られている。これらの遊技機は、ＣＰＵや遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものがある。
【０００３】
この種の遊技機においては、不正な利益を得ることを目的として、制御基板内のＲＯＭ（ＣＰＵやＲＯＭが１チップ化されている場合は当該チップ）を交換し遊技内容を変更したりする等、制御基板に対しての不正行為が数多く報告されており、従来より各種の不正対策が検討されている。
【先行技術文献】
【特許文献】
【０００６】
【特許文献１】特開２００３−１８０９１７号公報
【発明の概要】
【発明が解決しようとする課題】
【０００７】
しかしながら、上述した不正行為等に対する防犯機能を向上する上で未だ改善の余地がある。
【０００８】
本発明は、上記例示した事情等に鑑みてなされたものであり、防犯機能を好適に向上させることができる遊技機を提供することを目的とするものである。
【課題を解決するための手段】
【０００９】
本発明は、
制御基板と、
内部空間に前記制御基板を収容する基板ボックスと
を備え、
前記基板ボックスは、当該基板ボックスの内部空間の少なくとも一部を規定する第１ボックス構成体と第２ボックス構成体とを備えているとともに、それら第１ボックス構成体及び第２ボックス構成体は相互に結合されており、
前記第１ボックス構成体及び前記第２ボックス構成体には、前記基板ボックスの内部空間を規定する規定部を複数の領域に区画するとともに、それら第１ボックス構成体及び第２ボックス構成体の結合状態を解除して前記内部空間を開放する場合よりも当該内部空間を開放しやすいように切断しやすく形成された切断部が前記第１ボックス構成体及び前記第２ボックス構成体の両者に設けられており、
前記切断部が切断されることにより、前記第１ボックス構成体及び第２ボックス構成体に連続するとともに、前記制御基板の少なくとも一部を露出させる開口が形成され、
前記切断部は、当該切断部を切断して前記開口が形成されることにより前記制御基板をその板面と平行な所定の方向に移動させることを可能とするものであり、当該移動によって前記開口を通じて前記制御基板の取り外しを可能とするように構成されており、
前記制御基板は長板状をなしており、当該制御基板の長手方向が前記所定の方向と同じ方向となるように設定されていることを特徴とする。
【発明の効果】
【００１０】
本発明によれば、遊技機の防犯機能を好適に向上させることができる。
【図面の簡単な説明】
【００１１】
【図１】第１の実施の形態におけるパチンコ機の構成を示す斜視図。
【図２】遊技機本体の主要な構成を分解して示す分解斜視図。
【図３】内枠の構成を示す正面図。
【図４】遊技盤の構成を示す正面図。
【図５】内枠の構成を示す背面図。
【図６】裏パックユニットの構成を示す正面図。
【図７】主制御装置の構成を示す正面図。
【図８】主制御装置の構成を示す斜視図。
【図９】主制御装置の構成を示す表側から見た分解斜視図。
【図１０】主制御装置の構成を示す裏側から見た分解斜視図。
【図１１】（ａ）図７のＡ−Ａ線部分断面図、（ｂ）基板ボックスの内部構成を示す説明図。
【図１２】図７のＢ−Ｂ線部分断面図。
【図１３】基板ボックスの内部空間が開放された状態を説明するための説明図。
【図１４】主制御基板を基板ボックス内から取り出す場合の作業の様子を説明するための説明図。
【図１５】主制御基板を基板ボックス内に仮収容する場合の作業の様子を説明するための説明図。
【図１６】パチンコ機の電気的構成を示すブロック図。
【図１７】第２に実施の形態における主制御装置の構成を示す斜視図。
【図１８】第２の実施の形態における主制御装置を表側から見た分解斜視図。
【図１９】第２の実施の形態における主制御装置を裏側から見た分解斜視図。
【図２０】（ａ）図１７のＣ−Ｃ線部分断面図、（ｂ）図１７のＤ−Ｄ線部分断面図。
【図２１】第２の実施の形態における主制御基板を基板ボックス内から取り出す場合の作業の様子を説明するための説明図。
【図２２】第２の実施の形態における主制御基板を基板ボックス内に仮収容する場合の作業の様子を説明するための説明図。
【図２３】（ａ）別の切断部の構成を説明するための説明図、（ｂ）別の切断部の構成を説明するための説明図。
【発明を実施するための形態】
【００１２】
はじめに、本実施の形態から抽出され得る発明を、必要に応じて効果等を示しつつ説明する。
なお、下記の各手段群に記載された発明は、「遊技機としては、パチンコ遊技機やスロットマシン等が知られている。これらの遊技機は、ＣＰＵや遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものがある。この種の遊技機においては、不正な利益を得ることを目的として、制御基板内のＲＯＭ（ＣＰＵやＲＯＭが１チップ化されている場合は当該チップ）を交換し遊技内容を変更したりする等、制御基板に対しての不正行為が数多く報告されており、従来より各種の不正対策が検討されている。例えば、基板ボックスを構成する複数のボックス構成体を相互に結合するための結合構造（いわゆる、カシメ構造）を持たせたものが知られている（例えば、特許文献１参照）。当該結合構造は、その結合の解除に際して結合部等の破壊を要するように構成されている。これにより、基板ボックスの開放時にはその破壊による開放履歴を残すことができ、不正に基板ボックスが開放された場合にはそれを発見することが可能となる。一方、遊技場では外部機関等によって制御基板の検査が行われることがある。したがって、この検査に際しての基板ボックスの開放作業を容易なものとするために、結合構造には脆弱部が積極的に設けられており、当該脆弱部を破壊（切断等）することにより結合構造による結合が解除され、基板ボックスの開放を行えるようにしてある。」という背景技術について、「しかしながら、上記結合構造を備えた制御基板装置であっても、未だに不正行為が行われることが考えられる。例えば脆弱部の破壊を目立たないようにして行うことが考えられ、そうすると基板ボックスが不正に開放されたことを容易に発見できないおそれがある。」という発明が解決しようとする課題をもってなされたものである。
【００１３】
手段１．制御基板（主制御基板９１等）と、
内部空間に前記制御基板を収容する基板ボックス（基板ボックス９２等）と
を備え、
前記基板ボックスは、当該基板ボックスの内部空間の少なくとも一部を規定する第１ボックス構成体（例えば表側構成体１０１）と第２ボックス構成体（例えば裏側構成体１０２）とを備えているとともに、それら第１ボックス構成体及び第２ボックス構成体は相互に結合されており、
前記第１ボックス構成体及び前記第２ボックス構成体には、前記基板ボックスの内部空間を規定する規定部（平板部１１１，１３１、周壁部１１２，１３２等）を複数の領域に区画するとともに、それら第１ボックス構成体及び第２ボックス構成体の結合状態を解除して前記内部空間を開放する場合よりも当該内部空間を開放しやすいように切断しやすく形成された切断部（切断部１５０等）が前記第１ボックス構成体及び前記第２ボックス構成体の両者に設けられており、
前記切断部が切断されることにより、前記第１ボックス構成体及び第２ボックス構成体に連続するとともに、前記制御基板の少なくとも一部を露出させる開口（開口１５２）が形成されることを特徴とする遊技機。
【００１４】
手段１によれば、基板ボックスには切断部が形成されており、当該切断部を切断して、内部空間を規定している規定部の一部の領域を除去した場合、基板ボックスに開口が形成される。この開口を通じて制御基板の一部が露出した状態となり、制御基板の検査やメンテナンス等が可能となる。
【００１５】
切断部は、第１ボックス構成体及び第２ボックス構成体の両者に設けられており、切断部が切断された場合には、それら両ボックス構成体に跨って切断の痕跡が残存することとなる。詳しくは、両ボックス構成体に連続する一つの開口が形成されることとなる。仮に制御基板に対して不正を行う目的で切断部を切断して基板ボックスの内部空間が開放されていた場合には、両ボックス構成体に切断の痕跡が残るためその発見を比較的容易に行うことができる。例えば、切断部は、第１ボックス構成体と第２ボックス構成体とに跨って形成されるとよい。これにより、両ボックス構成体に連続する一つの開口が形成される構成を好適に実現できる。
【００１６】
また仮に、一方のボックス構成体にのみ切断痕跡が残存する構成とした場合には、複数の制御装置から痕跡の残っていないボックス構成体同士を寄せ集めることにより、切断痕跡を有さない基板ボックスが組み上げられるといった不都合が生じ得る。この点、本手段に示すように、第１ボックス構成体及び第２ボックス構成体の両方にそれぞれ切断痕跡が残存する構成とすれば、上述したような不都合の発生を抑えることができる。
【００１７】
なお、「前記基板ボックスの内部空間を規定する規定部」は、基板ボックスの一部又は全部のいずれであってもよい。また、換言すれば、「前記基板ボックスの内部空間を規定する周壁」としてもよく、「前記基板ボックスにおいて当該基板ボックスの内部空間を規定する壁部」としてもよい。
【００１８】
また、「切断しやすく形成された切断部」は、例えば、以下に示すような構成を適用することで容易に実現できる。例えば「基板ボックスの内外に貫通する貫通孔（貫通孔１５３）が所定の線上に複数配列されてなり、前記貫通孔は、長孔状をなすとともに、それら各貫通孔の長手方向が前記所定の線に沿うように配置されている構成」を適用してもよく、「前記切断部は、前記基板ボックスの内外に貫通する貫通孔（貫通孔１５３）が所定の線上に複数配列されてなり、隣り合うように並設された前記貫通孔間の距離寸法は、その並設方向における前記貫通孔の長さ寸法よりも小さく設定されている構成」を適用してもよい。
【００１９】
更には「切断しやすく形成された切断部」は、上述したように複数の貫通孔等で形成したり、ボック構成体の所定の部位を他の部位よりも厚みが薄くなるように形成したりすることで容易に実現可能である。かかる場合、切断部が破壊されることで開口が形成されることに着目すれば、「切断しやすく形成された切断部」を「破壊しやすく形成された破壊部」と称することもできる。更には、切断部が切断されることによりボックス構成体が、開口に対応する部分を形成するボックス側構成体の一部（開口形成部分）と、そのボックス構成体における主要部分と、それら両者を繋ぐ切断部分とに分離されるように構成することも可能である。かかる場合、前記切断部分がボックス構成体（開口形成部分及び主要部分）から分離される点に着目すれば、「切断しやすく形成された切断部」を「分離しやすく形成された分離部」と称することも可能である。
【００２０】
手段２．前記切断部は、当該切断部を切断して前記開口が形成されることにより前記制御基板をその板面と平行な所定の方向に移動させることを可能とするものであるとともに、当該移動によって前記開口を通じて前記制御基板の取り外しを可能とするように形成されていることを特徴とする手段１に記載の遊技機。
【００２１】
手段２によれば、切断部を切断することにより形成された開口を介して、制御基板の取り外しを行うことができる。換言すれば、制御基板の取り外しの痕跡が、上述した開口の形成に伴って、第１ボックス構成体及び第２ボックス構成体の両者に残存することとなる。これにより、制御基板の取り外し事実を把握しやすくすることができる。
【００２２】
また、一般的に板面には各種素子等が搭載されることが多い。仮に制御基板の取り外し方向が板面の面方向に設定されている場合、作業者によって、制御基板そのものではなく、素子等の板面から突出している部分が掴まれ得る。より詳細には、開口部を介して指等が挿入された場合、制御基板において取り外し方向の先端側に位置する部位（すなわち素子等）が把持の対象となりやすくなると想定される。制御基板の取り外し時に、素子等に触れられることは、制御基板の機能保全の観点から望ましくない。この点、上述の如く、制御基板の板面と平行な方向に取り外す場合、制御基板において取り外し方向の先端側に位置する部位は制御基板の縁部になると想定され、この縁部を指等で挟むことで作業が可能となるため、素子等の突出部分が積極的に掴まれることを抑制できる。これにより、制御基板の取り外しに起因して、当該制御基板の機能が損なわれるといった不都合を生じにくくすることができる。
【００２３】
なお、「前記開口が形成されたことに基づいて、当該制御基板の板面と平行な所定の方向に向けて取り外し可能となるように構成されており」とは、開口が形成されることで、直ちに制御基板の取り外しが可能となる構成を含む他、開口が形成された後に所定の手順を踏むことで制御基板の取り外しが可能となる構成を含む。例えば、制御基板が基板ボックス内にて固定されている場合、開口を形成した後、その固定状態を解除することによって制御基板の取り外しを可能とする構成を含むものである。
【００２４】
手段３．前記規定部は、前記制御基板の一方の板面と対向する側に配置された第１対向壁部（例えば表側平板部１１１）と、前記制御基板の他方の板面と対向する側に配置された第２対向壁部（例えば裏側平板部１３１）と、これら第１対向壁部及び第２対向壁部間に設けられ前記基板ボックスの周壁を形成する周壁部（例えば表側周壁部１１２や裏側周壁部１３２）と、を備えており、
前記第１ボックス構成体は、前記第１対向壁部の少なくとも一部を構成しているとともに、前記第２ボックス構成体は、前記第２対向壁部の少なくとも一部を構成しており、さらにこれら第１ボックス構成体及び第２ボックス構成体は前記周壁部を通じて連続しており、
前記切断部は、前記周壁部において前記制御基板の前記所定の方向への移動を阻害する部位（例えば、第１表側周壁部１１２ｂや第１裏側周壁部１３２ｂ）を少なくとも含んだ領域を、前記規定部におけるその周辺の領域に対して区画するように形成されていることを特徴とする手段２に記載の遊技機。
【００２５】
手段２に示すように、開口を介して制御基板を取り外す構成とした場合、切断部が両ボックス構成体に跨る上に、制御基板の取り外しに必要な領域を区画する必要が生じ、その全長が長くなりやすくなると想定される。かかる場合、切断部の切断作業が煩雑化し、作業性の悪化を招来することが懸念される。この点、本手段によれば、このような不都合を生じにくくすることができる。
【００２６】
仮に制御基板を前記板面の面方向へ向けて取り外す場合と比較すれば、すなわち第１対向壁部や第２対向壁部に開口を形成し、それらの開口から取り外す場合と比較すれば、周壁部における制御基板の取り外しを阻害する部位を少なくとも含んだ領域を区画するように切断部を形成することにより、制御基板の取り外し機能を担保しつつ、切断部の全長を短くすることができる。詳しくは、両ボックス構成体が制御基板の板面を挟んだ両側に配置されており、これら両ボックス構成体の境界が周壁部周辺に存在することとなる。このため、切断部によって周壁部における制御基板の取り外しを阻害する部位を少なくとも含んだ領域を区画する場合に、その区画される領域の広がりを抑え、切断部の全長を短くすることができる。これにより、切断部の切断作業の煩雑化を好適に抑えることができ、実用上好ましい構成を実現することができる。
【００２７】
手段４．前記切断部は、前記第１ボックス構成体及び前記第２ボックス構成体が設けられた領域において、前記第１対向壁部と第２対向壁部と前記周壁部における前記制御基板を挟んで対向する部位とに跨って連続的又は断続的な環状をなすことを特徴とする手段３に記載の遊技機。
【００２８】
手段４によれば、第１ボックス構成体及び第２ボックス構成体の境界部位に沿うようにして形成されることを回避し、切断部と境界部位との配置の差違を明確化することができる。よって、切断痕跡を確認する際の境界部位との区別を明確に行うことができ、両者の混同を回避することができる。
【００２９】
手段５．前記切断部は、当該切断部を切断して前記規定部の一部を除去することにより形成された開口から前記制御基板の一部が延出した状態となるように形成されていることを特徴とする手段３又は手段４に記載の遊技機。
【００３０】
手段５に示すように開口を介して制御基板を延出させることにより、制御基板の取り外し作業の煩雑化を抑えることができる。例えば、基板ボックスの内部に指等を挿入することなく、その突出した部分を指で挟む等することで基板の取り外し作業を一層容易に実施することができる。
【００３１】
手段６．前記制御基板には遊技制御プログラムを記憶した素子（ＣＰＵチップ９３等）が搭載されているとともに、前記第１対向壁部は当該素子が搭載された板面と対峙しており、
前記切断部のうち前記周壁部及び前記第２対向壁部に設けられた部分（第１切断部１５０ａ）は、前記素子よりも前記所定の方向における先端側に配置されており、前記切断部のうち前記第１対向壁部に設けられた部分（第２切断部１５０ｂ）は、当該第１対向壁部において前記素子と対峙している部位を迂回して配置されていることを特徴とする手段３乃至手段５のいずれか１つの手段に記載の遊技機。
【００３２】
手段６によれば、第１対向壁部において素子と対峙している部位を迂回して切断部が配置されている。これにより、切断部を切断して開口が形成された場合、素子が露出しやすくすることができ、当該素子の検査等の容易化に貢献しやすくできる。このように素子を迂回するようにして切断部を配置することで、素子の搭載位置の自由度を担保しつつ、素子を検査する際の作業の容易化を両立することができる。例えば、基板ボックスにおける阻止と対峙している部位を含んだ側の部分以外に対して制御基板の取り付けを実施するとよい。これにより、開口の形成に基づく素子の露出を好適に実現することができる。また、切断部のうち周壁部及び第２対向壁部に設けられた部分を、素子よりも前記所定の方向における先端側に配置することで、切断部を切断した後の除去部分の取り除き作業を容易なものとすることができる。具体的には、除去部分を制御基板の板面と平行な方向に引き抜くことで制御基板との干渉を回避できる反面、引き抜き方向が限定されることによって作業が行いにくくなることが懸念される。このような不都合は、上述した引き抜き操作量が大きくなることに伴って顕著なものとなりやすいと想定される。この点、素子よりも前記所定の方向における先端側に位置すれば、引き抜き操作量が大きくなることを抑制でき、作業性の担保に貢献することが可能となる。
【００３３】
なお、本手段によれば、切断部を主として基板ボックスにおける前記取り外し方向の先端側に偏倚して配置しつつ、素子の露出を担保することが可能となる。このように基板ボックスの一側部に偏倚して配置することができれば、切除部分と制御基板との重なりを抑え、当該切除部分を取り除く際にその切除部分と制御基板とが接触することを回避しやすくできる。
【００３４】
因みに、本手段に示した構成に代えて以下の構成を適用することにより、同様の効果を得ることが可能である。すなわち、「前記制御基板には遊技制御プログラムを記憶した素子が搭載されているとともに、前記第１対向壁部は当該素子が搭載された板面と対峙しており、前記切断部のうち前記周壁部及び前記第２対向壁部に設けられた部分は、前記素子よりも前記所定の方向における先端側に配置されており、
前記切断部のうち前記第１対向壁部に設けられた部分は少なくとも、前記素子よりも前記所定の方向における先端側に配置されている第１切断部と、前記第１切断部から前記素子側に延びるとともに当該素子を挟んで配置されている第２切断部とによって構成されていることを特徴とする遊技機。」を上述した手段３乃至手段５のいずれか１つの手段に適用することも可能である。かかる構成によれば、切断部を切断して開口が形成された場合に素子を露出させ、当該素子の検査の容易化を実現できる。
【００３５】
手段７．前記制御基板は長板状をなしており、当該制御基板の長手方向が前記所定の方向と同一方向となるように設定されていることを特徴とする手段２乃至手段６に記載の遊技機。
【００３６】
制御基板の取り外し方向と制御基板の長手方向とが一致していれば、制御基板の取り外しを可能とする開口の大型化を抑制できる。すなわち、切断部の全長を比較的短くすることができる。より具体的には、制御基板の取り外し方向と制御基板の短手方向とが一致している場合と比較して、切断部の全長を短くすることができる。これにより、切断部の切断作業の煩雑化を抑制することができる。
【００３７】
手段８．前記制御基板の板面に搭載されているコネクタ（コネクタ９６）と、
前記コネクタを当該基板ボックスの外部に露出させるとともに、前記制御基板の前記所定の方向への移動を阻害しないようにして前記規定部に形成されたコネクタ用開口部（開口部１１６）と
を備えていることを特徴とする手段２乃至手段７のいずれか１つの手段に記載の遊技機。
【００３８】
手段８によれば、コネクタ用開口部を介して、コネクタへのアクセスが可能となっている。このコネクタを介して、制御基板と外部機器等とを電気的に接続することができる。また、コネクタ用開口部は制御基板の所定の方向への移動を阻害しないようにして形成されており、制御基板が取り外される場合に、コネクタ用開口部とのコネクタとの引っ掛かり等を回避することができる。すなわち、コネクタを介して外部機器等との電気的な接続を可能としつつ、制御基板を取り外す際の作業性を担保することができる。
【００３９】
手段９．前記コネクタ用開口部と前記制御基板との隙間を塞ぐ遮蔽手段（区画壁部１１７，１１８や遮蔽部１２６、１２７等）を備え、
前記遮蔽手段は、
前記基板ボックスに設けられ、前記コネクタ用開口部における前記所定の方向の先端側にて前記規定部側から前記制御基板側に向けて突出しているボックス側遮蔽部（区画壁部１１８）と、
前記制御基板に設けられ、当該制御基板側から前記開口側に向けて突出しているとともに、前記ボックス側遮蔽部に当接又は近接している基板側遮蔽部（遮蔽部１２７）と
を備え、
前記基板側遮蔽部と前記ボックス側遮蔽部とは、前記所定の方向において、前記基板側遮蔽部を先端側、前記ボックス側遮蔽部を基端側として対向しているとともに、前記ボックス側遮蔽部と前記制御基板との間隔寸法は、前記コネクタの前記制御基板からの突出寸法よりも大きく設定されていることを特徴とする手段８に記載の遊技機。
【００４０】
手段９によれば、基板側遮蔽部とボックス側遮蔽部とは、制御基板の取り外し方向にて対向しているとともに、当接又は近接している。これにより、コネクタ用開口部を介して不正具が挿入されるといった不都合を生じにくくすることができる。本手段においては特に、所定の方向において、基板側遮蔽部を先端側、ボックス側遮蔽部を基端側として重なっているため、制御基板をとり外す際に両者が引っ掛かるといった不都合を回避し、取り外し機能の担保が図られている。さらに、ボックス側遮蔽部と制御基板（詳しくは制御基板の板面）との間隔寸法は、コネクタの板面からの突出寸法よりも大きく設定されている。このため、制御基板を取り外す際の両者の引っ掛かりが好適に回避され、上述した制御基板の取り外し機能が好適に担保されている。
【００４１】
手段１０．前記ボックス側遮蔽部は第１ボックス側遮蔽部であるとともに、前記基板側遮蔽部は第１基板側遮蔽部であり、
前記遮蔽手段は、
前記基板ボックスに設けられ、前記コネクタ用開口部における前記所定の方向の基端側にて前記規定部側から前記制御基板側に向けて突出している第２ボックス側遮蔽部（区画壁部１１７）と、
前記制御基板に設けられ、前記板面側から前記開口側に向けて突出しているとともに、前記ボックス側遮蔽部に当接又は近接している第２基板側遮蔽部（遮蔽部１２６）と
を備え、
前記第２基板側遮蔽部と前記第２ボックス側遮蔽部とは、前記所定の方向において、前記第２基板側遮蔽部を先端側、前記第２ボックス側遮蔽部を基端側として対向しているとともに、前記第２基板側遮蔽部の前記制御基板からの突出寸法は、前記第１ボックス側遮蔽部と前記制御基板との間隔寸法よりも小さく設定されていることを特徴とする手段９に記載の遊技機。
【００４２】
上述の如く制御基板の移動に追従してコネクタが移動する構成である場合、コネクタ用開口部における所定の方向（取り外し方向）の両側が不正の対象となりやすいと想定される。そこで、手段９に示す構成を適用することで、上述した不正の対象となりやすい部位の一方は好適に塞がれることとなるが、それら不正の対象となりやすい部位の両方の遮蔽と、制御基板の取り外し機能の担保とを同時に実現することは困難であると想定される。この点、本手段によれば、コネクタ用開口部における前記所定の方向の両縁側に基板側遮蔽部及びボックス側遮蔽部をそれぞれ配置した場合であっても、それら各基板側遮蔽部及びボックス側遮蔽部が制御基板のスライドに伴って引っ掛かり、取り外し作業を妨げられるといった不都合の発生を抑えることができる。具体的には、第１ボックス側遮蔽部と第２基板側遮蔽部との引っ掛かりを回避することができ、更には第２基板側遮蔽部と第２ボックス側遮蔽部が所定の方向にて対向していることで（より詳しくは両者が当接又は近接することで）不正具が挿入されることを好適に抑制できる。これにより、取り外し機能の担保と防犯性の向上とを両立することができる。
【００４３】
手段１１．前記遮蔽手段は、
前記制御基板側及び前記基板ボックス側のいずれか一方に設けられ、その配設対象から他方に向けて起立するとともに、前記所定の方向と同一方向に向けて延びる遮蔽板部（突条部１２０）と、
前記制御基板側及び前記基板ボックス側の他方に設けられ、前記遮蔽板部の少なくとも先端部が嵌まった状態にて、前記所定の方向への移動を案内する案内部（溝部１２９）とを備え、
それら遮蔽板部及び案内部は、前記コネクタ用開口部における前記所定の方向に沿った部位に配置されていることを特徴とする手段９又は手段１０に記載の遊技機。
【００４４】
手段１１によれば、所定の方向（制御基板の取り外し方向）と同一の方向へ延びる遮蔽板部及び案内部によって、制御基板の所定の方向への移動が案内される。詳しくは、遮蔽板部の先端部が案内部に嵌まっており、所定の方向への移動が行われてもその嵌まった状態が維持される。これにより、制御基板の取り外しを行う際の当該制御基板のがたつきや傾き等を抑制し、コネクタ等が基板ボックスに引っ掛かるといった不都合の発生を好適に回避することができる。
【００４５】
また、遮蔽板部及び案内部によって、コネクタ用開口部における制御基板との隙間を塞ぐことが可能であり、更には遮蔽板部の先端部が案内部に嵌まっているため、これら壁部及び案内部の境界部位を介しての不正具の侵入を好適に抑制することができる。このように、遮蔽板部及び案内部に、コネクタ用開口部における前記所定の方向に沿った部位からの不正具の侵入を抑える防犯機能と、制御基板の取り外しを容易化する案内機能との複数の機能を付与することで、実用上好ましい構成が実現できる。
【００４６】
手段１２．前記コネクタを複数備え、それらコネクタは前記所定の方向に配列されていることを特徴とする手段９乃至手段１１に記載の遊技機。
【００４７】
手段９や手段１０等に示した構成を適用することにより、コネクタ用開口部における制御基板の取り外し方向の基端側や先端側においては、ボックス側遮蔽部と基板側遮蔽部とが当接し、基板ボックスの内部空間へのアクセス経路を好適に塞ぐことができる。遮蔽部の配置領域は、コネクタ群における前記所定の方向と直交する方向での長さ寸法に合わせて設定されることで、隙間を好適に塞ぐことができる反面、遮蔽部同士の合わせ面が大きくなれば、遮蔽部を撓ませる等された場合に、合わせ面に隙間が生じやすくなるおそれがある。すなわち、合わせ面の大型化により、遮蔽部の機能が低下することが懸念される。そこで、複数のコネクタを有する構成においては、本手段に示すようにその配列方向を取り外し方向と同一とするとよい。このようにコネクタを取り外し方向に配列することにより、コネクタ群における前記所定の方向と直交する方向での長さ寸法が大きくなることを抑え、遮蔽部の大型化を抑制することができる。これにより、実用上好ましい構成を実現することができる。
【００４８】
なお、「前記コネクタを複数備え」とは、同一種のコネクタを複数備えることを含む。また、それらコネクタは必ずしも同一種である必要はなく複数種のコネクタを備える場合も含むものとする。
【００４９】
手段１３．前記基板ボックスの外面における前記切断部を挟んだ両側にそれぞれ個別に形成された一対の連結部（起立片１７０，１７１及び突出部１７４，１７５）と、
前記連結部を相互に連結する連結具（固定部１１４のベース部１６０）と
を備えていることを特徴とする手段１乃至手段１２のいずれか１つの手段に記載の遊技機。
【００５０】
手段１３によれば、両連結部が基板ボックスの外部に露出しているため、両者を連結する際の作業が行いやすくなっている。このように個別に形成された各連結部を連結具によって連結させることで、切除した部分の固定を容易に行うことができる。
【００５１】
特に手段２等（制御基板を取り外し可能とする構成）との組み合わせにおいては、遊技場において切断部を切断して制御基板を検査した後に、その検査済みの制御基板を再度遊技機メーカなどにて再検査するために搬送することが考えられる。この場合に、本手段によれば、制御基板を基板ボックス内に収容した後、切除した部分を元の位置にて固定することが可能となる。これにより、搬送中に基板が破損したり取り外されたりするといった不都合を抑制し、上記搬送を良好に行うことが可能となる。
【００５２】
なお例えば、連結部が切断部を挟んで二分された各領域に配置された構成にて、各連結部が切断部を跨いで他方の設けられた領域に至ることを回避するように形成すれば、以下の優れた効果を奏する。すなわち、切断部上に連結部が配置されていないため、切断部と連結部との重なりを回避することができる。これにより、連結部を有する構成を採用したとしても切断部が切断しにくくなることが回避され、切断作業の担保を図ることができる。
【００５３】
手段１４．前記連結具は、前記基板ボックス内に収容されていることを特徴とする手段１３に記載の遊技機。
【００５４】
手段１４によれば、連結具が基板ボックス内に収容されている。このため、連結具の取り出しに伴って切断部が切断されることとなり、連結具の不正な流用が行われにくくなっている。また、有用の際以外には、連結部は基板ボックス内に収容されたままとなり、当該連結部の紛失が発生しにくくなっている。
【００５５】
手段１５．前記連結具を介して前記制御基板と前記基板ボックスとが連結されていることを特徴とする手段１４に記載の遊技機。
【００５６】
手段１５によれば、基板ボックス内に設けられた連結具によって、制御基板と基板ボックスとが連結されている。すなわち、連結具は、制御基板の連結手段としての機能と分断された基板ボックスを再ボックス化する際の再ボックス化手段としての機能とを合わせ有している。これにより、部品点数の削減が図られている。
【００５７】
手段１６．前記連結具及び前記制御基板を結合するとともに、解除操作部（ネジ１１５の頭等）が解除操作されることにより前記連結具及び前記制御基板の結合状態が解除される結合手段（ネジ１１５等）と、
前記規定部における前記解除操作部と対峙する部位を含んだ領域を周辺領域に対して区画しているとともに、第１ボックス構成体及び第２ボックス構成体の結合状態を解除して前記内部空間を開放する場合よりも当該内部空間を開放しやすいように切断しやすく形成された第２切断部（環状切断部２６１）と
を備えていることを特徴とする手段１５に記載の遊技機。
【００５８】
手段１５に示すように制御基板と連結具とが結合されている場合、切断部を切断し開口を形成した後、制御基板と連結具との結合状態の解除が行われることで、制御基板の取り外しが可能となる。このように、制御基板を基板ボックスに対して固定しておくことで、基板ボックス内での制御基板の位置ずれ等を抑えることができる反面、以下の不都合が生じることが懸念される。すなわち、連結具が基板ボックス内に存在していることで、制御基板と基板ボックスとの間に工具等を挿入して作業を行う必要が生じ、当該作業が煩雑化することが懸念される。更には、解除作業に際して工具等が制御基板に当接することも懸念される。この点、本手段によれば、第２切断部を切断部することで、基板ボックスの一部が開放される。このようにして開放された解除操作用の開放部分から工具等を挿入し、結合手段の解除操作部を操作することで、制御基板と連結具との結合状態が解除される。このため、解除操作に伴う作業性の悪化や、作業時の制御基板と工具等との当接を好適に抑制することができる。
【００５９】
手段１７．前記制御基板における少なくとも一方の板面は、遊技制御プログラムを記憶した素子（ＣＰＵチップ９３等）が搭載されてなる素子搭載面（素子搭載面９７等）を構成しており、
前記第２切断部は、前記規定部における前記素子搭載面の反対側の面と対峙する部位に配置されていることを特徴とする手段１６に記載の遊技機。
【００６０】
手段１７によれば、制御基板の固定状態の解除に伴って、工具と素子搭載面とが当接するといった不都合を好適に回避し得る。更に、素子搭載面と反対側にて基板ボックスの開放が行われるため、仮にこの開放部分を介して不正具等が挿入された場合であっても、素子搭載面へのアクセスを困難なものとすることができる。
【００６１】
手段１８．前記各連結部は前記第１ボックス構成体と前記第２ボックス構成体との境界を挟んで対となる第１連結部と、第２連結部とによって構成されていることを特徴とする手段１３乃至手段１７のいずれか１つの手段に記載の遊技機。
【００６２】
切断部によって分断された各領域は、それぞれ各ボックス構成体を含むこととなる。このため、本手段に示すように、連結部が境界部位を挟んで対となるように構成することで、それら分断された各ボックス構成体を好適に結合することができる。これにより、制御基板を仮収容した状態にてボックス構成体の内部空間へのアクセスを行いにくくすることができる。
【００６３】
手段１９．前記制御基板における少なくとも一方の板面は、遊技制御プログラムを記憶した素子（ＣＰＵチップ９３等）が搭載されてなる素子搭載面（素子搭載面９７等）を構成しており、
前記切断部は少なくとも、前記規定部における前記素子搭載面の正面側となる部位（例えば表側平板部１１１）に配置されていることを特徴とする手段１乃至手段１８のいずれか１つの手段に記載の遊技機。
【００６４】
本手段に示すように、素子搭載面の正面側となる部位に切断部を配置することにより、切断部が切断された際には、前記開口の少なくとも一部が素子搭載面側に形成されることとなる。このように確認の対象となりやすい素子搭載面の正面側に開口が形成されれば、確認作業の容易化を促進し、実用上好ましい構成を実現できる。
【００６５】
手段２０．前記開口が形成されることにより、前記素子が露出することを特徴とする手段１９に記載の遊技機。
【００６６】
手段２０によれば、切断部が切断され、基板ボックスに開口が形成されることで、素子が露出した状態となる。よって、素子の検査を行う場合の作業性を向上させることができる。
【００６７】
手段２１．前記切断部によって前記基板ボックスは、第１領域（残存領域１５１ａ）及び第２領域（除去領域１５１ｂ）に二分され、
前記第１領域を構成している前記第１ボックス構成体及び前記第２ボックス構成体は、前記結合手段によって相互に結合されているとともに、前記第２領域を構成している前記第１ボックス構成体及び前記第２ボックス構成体は、前記結合手段によって相互に結合されていることを特徴とする手段１乃至手段２０のいずれか１つの手段に記載の遊技機。
【００６８】
手段２１によれば、一方のボックス構成体に形成された切断部のみを切断しても、開口を形成しにくくすることができる。すなわち、基板ボックスを開放して、制御基板等を露出させるには、両ボックス構成体の切断部をともに切断する必要がある。これにより、一層確実に両ボックス構成体に対して切断痕跡を残存させることができる。
【００６９】
手段２２．前記制御基板の板面には、前記基板ボックスの外部に露出する複数のコネクタ（コネクタ９６）が設けられ、
前記複数のコネクタは所定の方向に向けて配列されており、
前記切断部は、前記板面の正面から見て、前記コネクタの配置領域よりも外側にて、前記第１ボックス構成体及び前記第２ボックス構成体に跨っていることを特徴とする手段１乃至手段２１のいずれか１つの手段に記載の遊技機。
【００７０】
通常、コネクタには遊技機における他の制御装置等から延びる配線等が接続される。このため、作業性や配線の取りまとめ等を目的として、上述の如く所定の方向に向けて配列されることが多い。コネクタの配列方向において、コネクタの配置領域と切断部における境界を跨ぐ部位とが重ねて配置された場合、コネクタ自身やコネクタに接続された配線等によって切断部における切断痕跡の確認が困難となるおそれがある。一方、基板ボックスの不正流用等を確認する際には、境界部位と切断部とが交差する部分を確認すれば、同時に両ボックス構成体の切断痕跡の確認が可能となるため、作業性を担保しやすくなる。以上の例示した事情等から、境界部位と切断部とが交差する部分をコネクタから離す構成とすることで、痕跡の確認の容易が促進され、実用上好ましい構成を実現できる。
【００７１】
手段２３．前記切断部は、前記規定部を前記基板ボックスの内外に貫通する貫通孔（貫通孔１５３）が並設されて形成されていることを特徴とする手段１乃至手段２２のいずれか１つの手段に記載の遊技機。
【００７２】
手段２３によれば、切断部を、基板ボックスに貫通孔を形成するという比較的簡素な構成により得ることができる。
【００７３】
手段２４．前記基板ボックスは、前記制御基板と前記切断部との間において、当該切断部と対向する対向部（中間構成体１０３）を備えていることを特徴とする手段２３に記載の遊技機。
【００７４】
上記手段２３の構成を備え、切断部が貫通孔により形成された構成においては、当該貫通孔を通じて基板ボックスの内部空間に不正具が挿入されてしまうことが想定される。これに対して、本手段によれば、基板ボックスに対向部が設けられているため、基板ボックスの内部空間への不正具の挿入を阻止すること、又は内部空間に挿入されたとしても当該不正具が制御基板に到達してしまうことを阻止することが可能となる。
【００７５】
なお例えば、対向部が前記貫通孔（切断部）を基板ボックス内方から覆う構成とすれば、貫通孔を介して不正具が挿入されることを一層好適に抑制することができ、更なる防犯性の向上が期待できる。
【００７６】
手段２５．前記対向部は、前記貫通孔と対向する位置に、当該開口側とは反対側に凹んだ有底の凹部（溝部１５５）が形成されていることを特徴とする手段２４に記載の遊技機。
【００７７】
手段２５によれば、貫通孔を通じて基板ボックスの内部空間に不正具が挿入されたとしても、当該不正具の先端が対向部の凹部内に入り込むことで、制御基板側に不正具の先端を持っていこうとしてもそれが行いづらくなる。
【００７８】
手段２６．前記基板ボックスにおける前記切断部を挟んだ両側にそれぞれ個別に形成された一対の連結部（起立片１７０，１７１及び突出部１７４，１７５）と、
前記連結部を相互に連結する連結具（固定部１１４のベース部１６０）と
を備えていることを特徴とする手段１に記載の遊技機。
【００７９】
手段２６によれば、遊技場において切断部を切断して制御基板を検査した後に、その検査済みの制御基板を再度遊技機メーカなどにて再検査を行うために搬送することが考えられる。この場合に、本手段によれば、制御基板を基板ボックス内に収容した後、切除した部分を元の位置にて固定することが可能となる。これにより、搬送中に基板が破損したり取り外されたりするといった不都合を抑制し、上記搬送を良好に行うことが可能となる。
【００８０】
また、本手段においては特に、切断部を挟んだ両側にそれぞれ個別に形成された一対の連結部が形成されている。切断部と連結部とが重なっていないため、すなわち切断部上に連結部が配置されていないため、切断部が切断しにくくなることが回避され、作業性の担保が図られている。更に、両連結部が基板ボックスの外部に露出しているため、両者を連結する際の作業が行いやすくなっている。このように個別に形成された各連結部を連結具によって連結させることで、切除した部分の固定を容易に行うことができる。
【００８１】
更に、連結部及び連結具が基板ボックスの外部に露出状態で連結されれば、外部から連結状態の確認を容易に行うことができる。
【００８２】
手段２７．制御基板（主制御基板９１等）と、
内部空間に前記制御基板を収容する基板ボックス（基板ボックス９２等）と
を備え、
前記基板ボックスは、前記基板ボックスの内部空間の少なくとも一部を規定する第１ボックス構成体（例えば表側構成体１０１）と第２ボックス構成体（例えば裏側構成体１０２）とを有し、
それら第１ボックス構成体及び第２ボックス構成体は組み合わせられた状態にて相互に結合されており、
前記第１ボックス構成体及び第２ボックス構成体には、前記基板ボックスの内部空間を規定する規定部（平板部１１１，１３１、周壁部１１２，１３２等）を当該規定部における前記制御基板の前記所定の方向へのスライド移動を阻害する部位を少なくとも含んだ領域をその周囲の領域に対して区画するとともに、それら第１ボックス構成体及び第２ボックス構成体の結合状態を解除して前記内部空間を開放する場合よりも当該内部空間を開放しやすいように切断しやすく形成された切断部（切断部１５０等）が設けられており、
前記切断部は、当該切断部を切断して開口が形成されることにより前記制御基板をその板面と平行な所定の方向に移動させることを可能とするものであるとともに、当該移動によって前記開口を通じて前記制御基板の取り外しを可能とするように形成されていることを特徴とする遊技機。
【００８３】
手段２７によれば、切断部を切断することによって形成される開口から制御基板を取り外し可能となっている。仮に規定部における制御基板（板面）の正面側に開口を形成し、その開口部から制御基板を取り外す構成とした場合、例えば切断部の全長は少なくとも制御基板の周縁の全長（２組の端部の総長さ寸法）よりも長くする必要があり、切断部の切断作業が煩雑化することが懸念される。この点、本手段に示すように制御基板の板面と平行にスライド移動可能、詳しくは取り外し可能とした場合、この構成を実現するための開口部の大きさは、制御基板の厚み方向の寸法及び、一対の縁部の総長さ寸法によって決定されるため、切断部の全長を比較的短くすることができる。このように制御基板の取り外し機能を担保しつつ、切断部の全長を比較的短くすることで、実用上好ましい構成を実現することができる。
【００８４】
なお、上記手段１乃至手段２６に示した技術的思想のうち「切断部が第１ボックス構成体及び第２ボックス構成体の両者に跨ること」という技術的思想を除いたものを本手段に適用することも可能である。
【００８５】
以下に、以上の各手段を適用し得る各種遊技機の基本構成を示す。
【００８６】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【００８７】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【００８８】
球使用回動式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【００８９】
（第１の実施の形態）
以下、遊技機の一種であるパチンコ遊技機（以下、「パチンコ機」という）の第１の実施の形態を、図面に基づいて詳細に説明する。図１はパチンコ機１０を前方から見た斜視図、図２はパチンコ機１０の遊技機本体１２の分解斜視図である。なお、図２では便宜上、パチンコ機１０の遊技領域内の構成を省略している。
【００９０】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【００９１】
外枠１１は、木製の板材を四辺に連結し構成されるものであって矩形枠状をなしている。パチンコ機１０は、外枠１１を島設備に取り付け固定することにより、遊技場に設置される。なお、外枠１１を合成樹脂やアルミニウム等の金属によって形成することも可能である。
【００９２】
外枠１１の一側部に遊技機本体１２が回動可能に支持されている。具体的には、図１に示すように、外枠１１における上枠部と左枠部との連結部分に上側支持用金具２１が設けられており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【００９３】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００９４】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００９５】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００９６】
次に、遊技機本体１２の前面側の構成について説明する。図３は内枠１３の正面図である。
【００９７】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００９８】
ここで、遊技盤３３の構成を図４に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００９９】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【０１００】
図柄表示装置４１は液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組み合わせの図柄が停止表示された場合には、特別遊技状態（以下、大当たりという）が発生することとなる。
【０１０１】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【０１０２】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【０１０３】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。
【０１０４】
遊技球発射機構５０は、図３に示すように、樹脂ベース３１における窓孔３２の下方に取り付けられている。遊技球発射機構５０は、電磁式のソレノイド５１と、発射レール５２と、球送り機構５３とからなり、ソレノイド５１への電気的な信号の入力により当該ソレノイド５１の出力軸が伸縮方向に移動し、球送り機構５３によって発射レール５２上に置かれた遊技球を遊技領域に向けて打ち出す。
【０１０５】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、左上及び右上の位置には、遊技状態に応じた効果音などが出力されるスピーカ部が設けられている。
【０１０６】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【０１０７】
下側膨出部５８の右方には、手前側へ突出するようにしてハンドル装置５９が設けられている。ハンドル装置５９が操作されることにより、遊技球発射機構から遊技球が発射される。
【０１０８】
次に、遊技機本体１２の背面側の構成について説明する。図５は内枠１３の背面図、図６は裏パックユニット１５の正面図である。
【０１０９】
図５に示すように、内枠１３（遊技盤３３）の背面には、主制御装置ユニット６１及び音声ランプ制御装置ユニット６５が搭載されている。
【０１１０】
主制御装置ユニット６１は、合成樹脂製の取付台６２を有し、取付台６２に主制御装置６３が搭載されている。主制御装置６３は、遊技の主たる制御を司る機能（主制御回路）と、電源を監視する機能（停電監視回路）とを有する主制御基板を具備している。なお、主制御装置６３の具体的な構成については、後に詳細に説明する。
【０１１１】
音声ランプ制御装置ユニット６５は、音声ランプ制御装置６６と、取付台６７とを具備する構成となっており、取付台６７上に音声ランプ制御装置６６が装着されている。音声ランプ制御装置６６は、主制御装置６３からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【０１１２】
裏パックユニット１５は、図６に示すように、裏パック７１を備えており、当該裏パック７１に対して、払出機構部７２及び制御装置集合ユニット７３が取り付けられている。裏パック７１は透明性を有する合成樹脂により形成されており、払出機構部７２などが取り付けられるベース部７４と、パチンコ機１０後方に突出し略直方体形状をなす保護カバー部７５とを有する。
【０１１３】
ベース部７４には、その右上部に外部端子板７６が設けられている。外部端子板７６には各種の出力端子が設けられており、これらの出力端子を通じて遊技場側の管理制御装置に対して各種信号が出力される。ベース部７４には、保護カバー部７５を迂回するようにして払出機構部７２が配設されている。すなわち、裏パック７１の最上部には上方に開口したタンク７７が設けられており、タンク７７には遊技場の島設備から供給される遊技球が逐次補給される。タンク７７の下方には、下流側に向けて緩やかに傾斜するタンクレールが連結され、タンクレールの下流側には上下方向に延びるケースレールが連結されている。ケースレールの最下流部には払出装置７８が設けられている。払出装置７８より払い出された遊技球は、当該払出装置７８の下流側に設けられた図示しない払出通路を通じて、上皿５７ａ又は下皿５８ａに排出される。
【０１１４】
払出機構部７２には、裏パック基板７９が設置されている。裏パック基板７９には、例えば交流２４ボルトの主電源が供給され、電源スイッチの切替操作により電源ＯＮ又は電源ＯＦＦとされるようになっている。
【０１１５】
ベース部７４の下端部には、制御装置集合ユニット７３が取り付けられている。制御装置集合ユニット７３は、横長形状をなす取付台８１を有し、取付台８１に払出制御装置８２と電源及び発射制御装置８３とが搭載されている。これら払出制御装置８２と電源及び発射制御装置８３とは、払出制御装置８２がパチンコ機１０後方となるように前後に重ねて配置されている。
【０１１６】
払出制御装置８２は、基板ボックス８４内に払出装置７８を制御する払出制御基板が収容されて構成されている。電源及び発射制御装置８３は、基板ボックス８５内に電源及び発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【０１１７】
次に、主制御装置６３の構成を図７〜図１０に基づいて詳細に説明する。図７は主制御装置６３の正面図、図８は主制御装置６３の構成を示す斜視図、図９は主制御装置６３を表側から見た分解斜視図、図９は主制御装置６３を裏側から見た分解斜視図である。
【０１１８】
主制御装置６３は、図７等に示すように、主制御基板９１と基板ボックス９２とを備えており、同基板ボックス９２の内部空間に主制御基板９１が収容されてなる。
【０１１９】
主制御基板９１は長板状をなしており、主たる制御を司るＣＰＵ，遊技制御プログラムを記憶したＲＯＭ，遊技の進行に応じた必要なデータを記憶するＲＡＭ等を備えている。本実施の形態では、ＣＰＵ、ＲＯＭ及びＲＡＭがＣＰＵチップ９３に１チップ化されている。また、詳細な説明は省略するが、主制御基板９１には、入出力ドライバ用ＩＣチップやラッチ用ＩＣチップ，コンデンサや抵抗などの各種素子，そして複数のコネクタ９６が搭載されている。
【０１２０】
主制御基板９１においてＣＰＵチップ９３などの各種素子やコネクタ９６等は全て同一の板面上に搭載されており、ＣＰＵチップ９３を除いて、逆側の板面にて半田付けされている。つまり、主制御基板９１は、一方の板面が素子搭載面９７となっており、他方の板面が半田面９８となっている。なお、半田面９８とは、素子搭載面９７に搭載される各種素子の半田付け部分が設けられた面であるが、当該半田面９８に対して回路パターンが形成されていてもよい。
【０１２１】
ここで、ＣＰＵチップ９３は素子搭載面９７の中央付近に配置されており、さらに素子搭載面９７から起立させて設けられている。また、ＣＰＵチップ９３は上記のとおり主制御基板９１に半田付けされておらず、ＣＰＵチップ９３の接続端子が主制御基板９１に差し込まれた状態となっている。つまり、ＣＰＵチップ９３は抜き挿し可能な状態で主制御基板９１に搭載されている。但し、ＣＰＵチップ９３を主制御基板９１に対して半田付けしてもよい。
【０１２２】
素子搭載面９７における一方の長辺とＣＰＵチップ９３との間には、前記コネクタ９６が配置されている。具体的には、各コネクタ９６は、素子搭載面９７における一方の長辺に沿い、当該長辺の中心付近から片側の端部に向けて一直線上に配列されており、主制御基板９１の短手方向においてコネクタ９６（詳しくは一部のコネクタ９６）とＣＰＵチップ９３とが並べて配置されている。これらコネクタ９６を介して、主制御装置６３と電源装置８３等とが電気的に接続されている。なお、以下これらの「コネクタ９６」をまとめて「コネクタ群９６」とも称する。
【０１２３】
基板ボックス９２は、複数のボックス構成体として、表側構成体１０１と、裏側構成体１０２と、中間構成体１０３と、コネクタカバー１０４と、を備えている。より具体的には、表側構成体１０１と裏側構成体１０２とが相互に組み合わせられることで、基板ボックス９２の外殻が形成されている。換言すれば、表側構成体１０１及び裏側構成体１０２によって、主制御装置６３の内部空間が区画されている。また、これら表側構成体１０１，裏側構成体１０２，中間構成体１０３及びコネクタカバー１０４は、基板ボックス９２内に収容された主制御基板９１の素子搭載面９７及び半田面９８を基板ボックス９２外から視認可能なように透明性を有する材料により形成されている。具体的には、無色透明のポリカーボネート樹脂により形成されているが、これに限定されることはない。例えば、無色透明なアクリル樹脂等で形成されていてもよく、更には有色透明な合成樹脂により形成されていてもよい。
【０１２４】
表側構成体１０１は、図９及び図１０に示すように、一方に開放された略箱状をなしており、その内部に主制御基板９１を収容している。より具体的には、表側構成体１０１は、素子搭載面９７と対向する長板状（主制御装置６３の正面視にて略矩形状）の表側平板部１１１を有しており、この表側平板部１１１の長手方向は主制御基板９１の長手方向と同一方向に設定されている。そして、表側平板部１１１の周縁には、主制御基板９１を囲むようにして表側周壁部１１２が形成されている。
【０１２５】
表側周壁部１１２は、表側平板部１１１の各短辺から主制御基板９１側に起立する第１表側周壁部１１２ａ，１１２ｂと、表側平板部１１１の各長辺から主制御基板９１側に起立する第２表側周壁部１１２ｃ，１１２ｄとからなり、それら第１表側周壁部１１２a，
１１２ｂ及び第２表側周壁部１１２ｃ，１１２ｄはコーナー部にて連続している。図１０に示すように、第２表側周壁部１１２ｃ，１１２ｄの内面側には、主制御基板９１を組み付ける際の位置決め部としての表側当接部１１３が形成されている。表側当接部１１３は、第２表側周壁部１１２ｃ，１１２ｄの内面から起立してなり、表側平板部１１１の長手方向と同一の方向に向けて延びる突条をなしている。これら表側当接部１１３に素子搭載面９７を当接させることで主制御基板９１の位置決め、詳しくは素子搭載面９７と直交する方向における位置決めがなされている。
【０１２６】
更に、第２表側周壁部１１２ｃ，１１２ｄの内面側には、主制御基板９１を固定する固定部１１４がそれぞれ一体成形されている。上述の如く位置決めがなされた状態にて、これら固定部１１４に主制御基板９１が固定されることで、主制御基板９１と表側構成体１０１とが一体化されている。詳しくは、主制御基板９１は、固定部１１４に対してネジ１１５により着脱可能な状態で固定されている。なお、固定部１１４についての詳細は後述する。
【０１２７】
平板部１１１の一方の長辺側には、その長辺に沿って延びる開口部１１６が設けられている。この開口部１１６は前記コネクタ群９６に対応して形成されており、当該開口部１１６を介して各コネクタ９６の端子部分が基板ボックス９２の外部に露出した状態となっている（図７参照）。開口部１１６は、主制御装置６３の正面視において略長方形状をなしており、その長手方向が主制御基板９１の長手方向と同一となるように設定されている。また、主制御基板９１（詳しくは素子搭載面９７）には、前記コネクタカバー１０４が装着されており、その一部がコネクタ９６とともに開口部１１６を通じて露出した状態となっている。
【０１２８】
次に、コネクタカバー１０４について詳しく説明する。なお、以下の説明においては、図９及び図１０に加えて、図１１及び図１２を適宜参照することとする。図１１の（ａ）は図７のA−A線部分断面図、図１１の（ｂ）は主制御装置６３の内部構造を示す概略図、図１２は図７のB−B線部分断面図である。
【０１２９】
図９等に示すように、コネクタカバー１０４は、主制御基板９１に対して破断ネジ１１９により固定されている。より具体的には、主制御基板９１に形成された貫通孔を介して半田面９８側から挿通された破断ネジ１１９がコネクタカバー１０４に螺着されている。ここで、破断ネジ１１９とは、ドライバなどの工具に先端を差込可能な頭部とネジ溝が形成された側との連結部分の強度が低く設定されたものであり、それ以上締めることができない位置において頭部に対して上記工具によりさらに所定の力を加えることにより、上記連結部分が切断され、頭部が分離されるものである。つまり、破断ネジ１１９は、螺着後において、上記工具を用いて緩める方向へ回転させることを不可とするものである。コネクタカバー１０４に螺着されている破断ネジ１１９は螺着後においてその頭部が分離されている。
【０１３０】
なお、螺着後において主制御基板９１とコネクタカバー１０４との結合を緩めることができないようにすることができるのであれば、主制御基板９１とコネクタカバー１０４とを結合する固定具は破断ネジ１１９に限定されることはなく周知のワンウェイネジであってもよい。
【０１３１】
コネクタカバー１０４は、コネクタ９６の配列方向と同じ方向に延びる長板状（詳しくは主制御装置６３の正面視において矩形状）のベース部１２４を備えている。ベース部１２４には、各コネクタ９６に１対１で対応する貫通孔１２５がそれぞれ形成されており、それら貫通孔１２５に各コネクタ９６が挿通された状態で、ベース部１２４の片側の板面がその全域において素子搭載面９７に接触している。これら貫通孔１２５を介して各コネクタ９６を露出させることで、素子搭載面９７におけるコネクタ９６の周辺部位の露出を最小限に抑えることが可能となっている。
【０１３２】
ベース部１２４の周縁には、同ベース部１２４から表側構成体１０１（詳しくは表側平板部１１１の背面）に向けて起立する一連の周壁が一体成形されている。具体的には、その周壁は、ベース部１２４の全周において、表側構成体１０１の第２周壁部１１２ｃに対峙する側を除く部分の全域に形成されている。その周壁のうち相対向する部分は、表側構成体１０１と素子搭載面９７との隙間を塞ぐ遮蔽部１２６，１２７となっている（図９参照）。一方、開口部１１６の両短辺には、これら遮蔽部１２６，１２７に対応し、平板部１１１の背面側から素子搭載面９７に向けて起立する区画壁部１１７，１１８がそれぞれ形成されている。
【０１３３】
遮蔽部１２６は、区画壁部１１７と平行で、且つ当該区画壁部１１７に面接触する当接面１２６ａを備えている。同様に、遮蔽部１２７は、区画壁部１１８と面接触する当接面１２７ａを備えている。これら当接面１２６ａ，１２７ａ及び区画壁部１１７，１１８が接触していることで、開口部１１６の長手方向両側における隙間全域（詳しくは表側構成体１０１と素子搭載面９７との隙間全域）が塞がれた状態となっている。
【０１３４】
また、ベース部１２４における一方の長辺には、各遮蔽部１２６，１２７と隙間無く連続する板状部１２８が形成されている。図１１（ａ）に示すように、板状部１２８の先端部には、ベース部１２４と同一方向に延びる溝部１２９が形成されており、平板部１１１の背面側にはこの溝部に嵌まる突条部１２０が形成されている。溝部１２９に突条部１２０が嵌まることで、表側構成体１０１とコネクタ９６との隙間、詳しくはＣＰＵチップ９３側に開放された隙間が塞がれている。更に、ベース部１２４における他方の長辺（縁部）は、その全体又は略全体が表側構成体１０１の第２周壁部１１２ｃの内壁面と接触している。以上詳述したように、表側構成体１０１側の区画壁部１１７，１１８及び突条部１２０と、コネクタカバー１０４の各遮蔽部１２６，１２７及び板状部１２８と、ベース部１２４及び第２周壁部１１２ｃとによって、コネクタ９６の配置領域と主制御基板９１の配置領域とが仕切られているため、開口部１１６を介して基板ボックス９２の内部領域に不正具等が挿入されるといった不都合が生じにくくなっている。なお、溝部１２９及び突条部１２０は、不正具等の侵入を難しくする遮蔽機能に加えて、主制御基板９１を着脱する際のガイド機能を併せ有しているが、このガイド機能についての詳細は後述する。
【０１３５】
以上詳述したように主制御基板９１及びコネクタカバー１０４が一体化された表側構成体１０１に対して、裏側構成体１０２が固定されている。
【０１３６】
詳細には、裏側構成体１０２は、主制御基板９１側に開放された略箱状をなしており、半田面９８に対向する裏側平板部１３１と、当該裏側平板部１３１の周縁に形成され、主制御基板９１側に起立する裏側周壁部１３２とが一体成形されてなる。
【０１３７】
裏側平板部１３１は、主制御装置６３の正面視において表側平板部１１１と同様に横長の略矩形状をなしている。裏側周壁部１３２は、裏側平板部１３１の各短辺に設けられ前記第１表側周壁部１１２ａ，１１２ｂに連続する第１裏側周壁部１３２ａ，１３２ｂと、裏側平板部１３１の各長辺に設けられ前記第２表側周壁部１１２ｃ，１１２ｄに連続する第２裏側周壁部１３２ａ，１３２ｂとからなり、それら第１裏側周壁部１３２ａ，１３２ｂ及び第２裏側周壁部１３２ａ，１３２ｂがコーナー部にて連続している。
【０１３８】
裏側周壁部１３２の先端部全域には、当該裏側周壁部１３２の内側に向けて凹む段差状の嵌合部１３３が形成されている。嵌合部１３３は表側周壁部１１２に対応して設けられており、同表側周壁部１１２の先端が嵌まることで、両構成体１０１，１０２の組み付け位置が特定されている。
【０１３９】
また、第２裏側周壁部１３２ｃ，１３２ｄの先端部には、主制御基板９１の半田面９８に対向する板状の裏側当接部１３４が形成されている。これら裏側当接部１３４と前記表側当接部１１３とによって主制御基板９１が挟まれた状態となっており、基板ボックス９２内における主制御基板９１のがたつきが好適に抑えられている。これら両当接部１１３，１３４は、主制御基板９１を着脱する際のガイド機能を有するが、詳細については後述する。
【０１４０】
次に、表側構成体１０１と裏側構成体１０２との固定に関する構成について説明する。表側構成体１０１と裏側構成体１０２との固定手段として接着剤が用いられている。接着剤は、表側構成体１０１の表側周壁部１１２と裏側構成体１０２の裏側周壁部１３２との境界全域を埋めるようにして塗布されている。詳しくは、表側周壁部１１２の先端部と裏側周壁部１３２の嵌合部１３３とに塗布されている。これにより、表側周壁部１１２と裏側周壁部１３２とが接着されており、表側構成体１０１と裏側構成体１０２とが固定されている。このように、表側周壁部１１２と裏側周壁部１３２との間の境界部位が塞がれていることにより、同境界部位から基板ボックス９２の内部空間内に不正具を挿入しようとしてもそのような行為が行いづらくなっている。
【０１４１】
なお、接着剤としては、表側構成体１０１と裏側構成体１０２とを固定することができるのであれば周知の接着剤を用いることができ、例えば、アクリル樹脂系接着剤、ウレタン樹脂系接着剤、エチレン―酢酸ビニル樹脂系接着剤、エポキシ樹脂系接着剤、シリコーン系接着剤などを用いてもよく、それら接着剤は、反応系、溶液系、水分散系、固形系のいずれであってもよい。
【０１４２】
次に、基板ボックス９２の開放を容易に行うための開放容易化構造及びそれに付随する構成について説明する。なお、以下の説明では、図７〜図１１に加えて、図１３を適宜参照することとする。図１３は開放容易化構造を説明するための説明図である。
【０１４３】
図７等に示すように、基板ボックス９２には、両構成体１０１，１０２における所定の領域を区画するようにして切断部１５０が形成されている。この切断部１５０によって主制御装置６３は、コネクタ９６や固定部１１４を含む部分（以下、残存領域１５１ａ）とそれ以外の部分（以下、除去領域１５１ｂという）とに二分されている。切断部１５０を切断し、除去領域１５１ｂを取り除くことで、両構成体１０１，１０２に跨る開口が形成される構成となっている（図１３参照）。
【０１４４】
切断部１５０は、基板ボックス９２の内外に貫通するようにして形成された多数（又は複数）の貫通孔１５３により構成されている。詳細には、多数の貫通孔１５３は、残存領域１５１ａと除去領域１５１ｂとを区分けするようにして、断続的に環状をなすように等間隔で形成されている。換言すれば、切断部１５０として、断続的な環状の切断ガイド線が形成されている。
【０１４５】
貫通孔１５３は、長孔状をなしており、その長手方向が切断ガイド線に沿うように配置されている。このように貫通孔１５３を配置することで、貫通孔１５３の大型化を抑えつつ、切断の容易化に貢献することができる。なお、貫通孔１５３が丸孔状をなす構成とすることも可能ではある。しかしながら、かかる場合、孔の大きさが直接的に不正具等の挿入のしやすさに繋がることが懸念される。すなわち、孔径を大きくすることで切断ガイド線上における肉部の占有領域を大きくすることが可能となり、切断作業の容易化が図られる反面、孔径が大きくなることに起因して、不正具等の挿入が容易となり得る。この点、上述の如く貫通孔１５３を長孔状とすれば、不正具等の挿入の困難さを担保しつつ、切断ガイド線上における肉部の占有領域を大きくすることが可能となる。故に、望ましくは、本実施の形態に示すように貫通孔を切断ガイド線に沿って延びる長孔状とするとよい。
【０１４６】
隣り合う貫通孔１５３間の間隔は、ニッパやカッタなどによる工具により、各貫通孔１５３間の領域を容易に切断可能なように設定されている。具体的には貫通孔１５３間の間隔寸法は、貫通孔１５３の長手方向における長さ寸法よりも小さく設定されている。これにより、切断部１５０は平板部１１１，１３１や周壁部１１２，１３２において他の部位に比べ脆弱な領域となっている。換言すれば、表側構成体１０１と裏側構成体１０２との固定状態を、表側周壁部１１２と裏側周壁部１３２との接着部やその周辺部位を破壊することで基板ボックス９２の内部空間を開放する場合よりも、当該内部空間の開放を行い易いように切断部１５０は切断しやすく形成されている。
【０１４７】
切断部１５０は、両構成体１０１，１０２に跨って形成された第１切断部１５０ａと、表側構成体１０１に形成され表側平板部１１１における所定の領域を区画する第２切断部１５０ｂとからなり、それら第１切断部１５０ａ及び第２切断部１５０ｂが連なることで全体として略環状をなしている。
【０１４８】
第１切断部１５０ａは、表側平板部１１１，第２表側周壁部１１２ｃ，第２裏側周壁部１３２ｃ，裏側平板部１３１，第２裏側周壁部１３２ｄ，第２表側周壁部１１２ｄに跨がって配置されており、当該第１切断部１５０ａの全体が素子搭載面９７と直交する仮想平面上に位置する構成となっている。すなわち、第１切断部１５０ａは、表側平板部１１１，第２表側周壁部１１２ｃ，第２裏側周壁部１３２ｃ，裏側平板部１３１，第２裏側周壁部１３２ｄ，第２表側周壁部１１２ｄにおいて、それら表側平板部１１１等と主制御基板９１とが対峙する領域に配されている。更に、第１切断部１５０ａは、それら対峙する領域における両構成体１０１，１０２間の境界部位に対して直交又は略直交している。また、第１切断部１５０ａは、主制御装置６３の一側部側に寄せて配置されており、コネクタ群９６の配置領域との重なりが回避されている。より具体的には、上述の如くコネクタ群９６（開口部１１６）は第１周壁部１１２ａ側に寄せて配置されており、この開口部１１６が形成されている側と反対側、すなわち第１周壁部１１２ｂ側に寄せて第１切断部１５０ａが配置されている。このように、第１切断部１５０ａとコネクタ群９６（開口部１１６）との重複が回避されていることで、第１切断部１５０ａを切断する際に開口部１１６内に工具を挿入する必要が生じず、作業の煩雑化が好適に抑えられている。また、第１切断部１５０ａを片側に寄せて配置することで、第１切断部１５０ａ自身によって主制御基板９１が視認しにくくなるといった不都合が生じにくくなっている。
【０１４９】
一方、第２切断部１５０ｂは、主制御基板９１の正面視において、ＣＰＵチップ９３を迂回するように配置されている。つまり、第２切断部１５０ｂは表側平板部１１１におけるＣＰＵチップ９３と対峙する部位を、表側平板部１１１の他の部位に対して区画するように配置されている。このため、切断部１５０が切断され除去領域１５１ｂが取り除かれた場合には、ＣＰＵチップ９３が露出した状態となり、その取り外しが可能となる。また、第２切断部１５０ｂにおいても、第１切断部１５０ａと同様にコネクタ群９６（開口部１１６）との重なりが回避されているため、切断作業の煩雑化が好適に抑えられている。
【０１５０】
また、上述の如く両構成体１０１，１０２はそれらの境界全域にて接着されている。このため、表側構成体１０１の切断部１５０ａ又は裏側構成体１０２の切断部１５０ｂのみを切断したとしても、基板ボックス９２に開口が形成されない。言い換えれば、切断部１５０の全域にて切断を行うことにより、開口１５１が形成され、主制御基板９１（ＣＰＵチップ９３）を露出させることが可能となっている。
【０１５１】
図７や図１１に示すように、基板ボックス９２の内部空間、詳しくは素子搭載面９７と表側構成体１０１とによって区画された空間には、遮蔽部材としての前記中間構成体１０３が配置されている。より詳しくは、中間構成体１０３は、表側構成体１０１に形成された切断部１５０ａと対峙する位置に配されており、当該中間構成体１０３によって、切断部１５０ａは基板ボックス９２の内部から覆われた状態となっている。
【０１５２】
中間構成体１０３は、切断部１５０ａに沿って延びる枠状をなしており、ネジ等の締結具によって表側平板部１１１の背面側に固定されている。より詳しくは、中間構成体１０３を固定する固定部（具体的にはネジ穴）は、前記除去領域１５１ｂ側に複数設けられている。このように、中間構成体１０３は、除去領域１５１ｂ側に固定されているため、除去領域１５１ｂが分離された場合には、当該除去領域１５１ｂとともに取り外されることとなる。すなわち、中間構成体１０３自身の切断や破壊等を伴うことなく、除去領域１５１ｂの取り外しが可能となっている。このように、基板ボックス９２の開放に際して中間構成体１０３の切断等を必要としないため、中間構成体１０３に対して強固な材料を適用することが可能となり、不正防止機能の向上を図ることができる。
【０１５３】
また、同図１１に示すように、中間構成体１０３において切断部１５０ａと対峙する面には、主制御基板９１側（主制御装置６３の中央側）に凹む溝部１５５が形成されている。溝部１５５は、主制御基板９１側に底を有するとともに、切断部１５０ａ側に向けて開放されるように形成されている。更には、溝部１５５は中間構成体１０３の全域に亘って連続するように形成されており、その溝部１５５の開口縁は表側構成体１０１の内面（具体的には残存領域１５１ａ及び除去領域１５１ｂの両側）に当接している。換言すれば、中間構成体１０３は切断部１５０を挟んで表側平板部１１１の裏面、詳しくは残存領域１５１ａ側と除去領域１５１ｂ側の両側にそれぞれ対峙している。このように溝部１５５が形成されているため、貫通孔１５３を通じて基板ボックス９２内に針金等の不正具が挿入されたとしても、当該不正具は中間構成体１０３の溝部１５５内に入り込む。そうすると、中間構成体１０３を迂回するように不正具を侵入させようとしても、それが困難なものとなる（図１１（ａ）における部分拡大図参照）。
【０１５４】
なお、中間構成体１０３を表側構成体１０１の内面から離間して配置することも可能である。より具体的には、溝部１５５の開口線が表側構成体１０１の内面と当接していない構成とすることも可能である。これにより、切断部１５０を形成する貫通孔１５３に、基板ボックス９２の通気口としての機能を付与することができる。かかる場合であっても、溝部１５５が存在することにより、貫通孔１５３を介して不正具等の入り込みを困難なものとすることができる。
【０１５５】
更には、溝部１５５を有さない構成とすることも可能である。但し、溝部１５５を有さない構成とした場合、切断部１５０を切断する際に工具の刃先を基板ボックス９２内に入れづらくなると想定される。これにより、切断部１５０の切断作業を行いづらくなることが懸念される。そこで、溝部１５５を排除した場合には、中間構成体１０３が工具の挿入に伴って若干撓むことで基板ボックス９２内への刃先の挿入を許容する構成とすることが望ましい。これにより、作業性の悪化を抑制することができる。また、このように中間構成体１０３が撓むことにより工具の刃先の基板ボックス９２内への挿入が許容される構成とした場合には、貫通孔１５３の内部に中間構成体１０３の一部が嵌まる構成とすることも可能である。
【０１５６】
次に、主制御基板９１の着脱に関する構成について詳細に説明する。
【０１５７】
主制御基板９１は、上述の如く基板ボックス９２の内部に固定部１１４を介して固定されている。固定部１１４は、主制御基板９１の素子搭載面９７と接触する長板状のベース部１６０と、同じく素子搭載面９７に接触するとともに、そのベース部１６０及び第２表側周壁部１１２ｃ，１１２ｄを連結する連結部１６１とを備えている。ベース部１６０には上述したネジ１１５が螺着されるネジ孔１６２が形成されており、主制御基板９１にはネジ孔１６２と連なる貫通孔が形成されている。ベース部１６０と素子搭載面９７とが接触した状態にて、前記貫通孔に対して半田面９８側から挿通されたネジ１１５をネジ孔１６２に螺着することで、固定部１１４と主制御基板９１、すなわち表側構成体１０１と主制御基板９１とが一体化されている。
【０１５８】
固定部１１４は、残存領域１５１ａ側に配されている。このため、除去領域１５１ｂが分離され状態においても、主制御基板９１の固定状態が維持される。より詳しくは、固定部１１４は、上述した第１切断部１５０ａに隣接して設けられている。このように、固定部１１４を第１切断部１５０ａに近い位置に配することで、除去領域１５１ｂが分離され、開口１５２が形成された後には、その開口１５２を介して固定部１１４に容易にアクセス可能となる。図１０に示すように、上述した連結部１６１は、その開口１５２の手前側から奥側に向かって延びる板状をなしているとともに、上記表側当接部１１３及び裏側当接部１３４よりも外側（詳しくは第１切断部１５０ａ側）に配置されており、カッタ等の工具によって容易に切断可能となるように構成されている。このため、除去領域１５１ｂを分離した状態においては、固定部１１４と表側構成体１０１とを容易に切り離すことができる。そして、連結部１６１が切断されることによって、表側構成体１０１と主制御基板９１との固定状態が解除されることとなる。
【０１５９】
上述したように、主制御基板９１は両当接部１１３，１３４によって挟まれている。このため、固定部１１４による固定状態が解除された場合であっても、基板ボックス９２内における位置ずれや倒れ等が抑えられている。両当接部１１３，１３４は、残存領域１５１ａに設けられている。具体的には、切断部１５０ａと第１周壁部１１２ａ，１３２ａとの間に配置されている。これにより、第１切断部１５０ａと当接部１１３，１３４との交差が回避され、部分的に切断作業が行いづらくなるといった不都合が生じにくくなっている。
【０１６０】
また、固定部１１４による固定状態が解除された場合、主制御基板９１は、基板ボックス９２（詳しくは残存領域１５１ａ）から取り外し可能となる。かかる場合、主制御基板９１の長手方向に向けて、詳しくは両当接部１１３，１３４に沿って同主制御基板９１をスライド移動させることにより、主制御基板９１の取り外しを行うことができる。かかる場合、コネクタカバー１０４の溝部１２９が表側構成体１０１の突条部１２０に嵌まったままスライドすることで、主制御基板９１の取り外し時の倒れ等が好適に抑えられている。
【０１６１】
このような主制御基板９１の取り外しに伴って、同主制御基板９１とともにコネクタカバー１０４も取り外されることとなる。以下、図１２に基づきコネクタカバー１０４及び表側構成体１０１の相互の関係について説明する。
【０１６２】
上述したように、コネクタカバー１０４の遮蔽部１２６，１２７は表側構成体１０１の区画壁部１１７，１１８と面接触している。より具体的には、遮蔽部１２６，１２７は主制御基板９１のスライド方向の先端側、区画壁部１１７，１１８は同スライド方向の基端側となるように設定されており、主制御基板９１の移動に伴って、遮蔽部１２６，１２７が区画壁部１１７，１１８から離間する。スライド方向の基端側に設けられた遮蔽部１２６の素子搭載面９７からの起立量Ｌ１は、同じくスライド方向の基端側に設けられた区画壁部１１７と素子搭載面９７との隙間寸法Ｌ２よりも大きく設定されている。そして、スライド方向の先端側に設けられた遮蔽部１２７の素子搭載面９７からの起立量Ｌ３は、同じくスライド方向の先端側に設けられた区画壁部１１８と素子搭載面９７との隙間寸法Ｌ４よりも大きく設定されている。これにより、遮蔽部１２６，１２７と区画壁部１１７，１１８との重なりが担保されている。
【０１６３】
また、遮蔽部１２６の起立量Ｌ１及び各コネクタ９６の素子搭載面９７からの起立量は、スライド方向の先端側に設けられた区画壁部１１８と素子搭載面９７との隙間寸法Ｌ４よりも小さく設定されている。これにより、主制御基板９１がスライド移動される際の区画壁部１１８と遮蔽部１２６等との干渉が回避されている。以上詳述したように、遮蔽部１２６，１２７と区画壁部１１７，１１８との重なりを担保しつつ、スライド時の遮蔽部１２６，１２７及びコネクタ９６と区画壁部１１７，１１８との干渉を回避しているため、コネクタカバー１０４を主制御基板９１に装着したまま、それらコネクタカバー１０４及び主制御基板９１をまとめて取り外すことができる。
【０１６４】
ここで、主制御基板９１と両構成体１０１，１０２の相互の関係について詳述する。上述したように切断部１５０を切断し除去領域１５１を取り除いた状態においては、表側当接部１１３及び裏側当接部１３４とコネクタカバー１０４の溝部１２９及び表側構成体１０１の突条部１２０とによって主制御基板９１の取り外し方向が規定されている。換言すれば、上述した方向以外への主制御基板９１の移動が規制されている。その取り外し方向において、主制御基板９１と両ボックス構成体１０１，１０２とはそれぞれ重なる構成となっている。具体的には、主制御基板９１の取り外し方向において表側構成体１０１と主制御基板９１自身及びそれに搭載されたＣＰＵチップ９３等とが重なっており、裏側構成体１０２と主制御基板９１の半田（図示略）や破断ネジ１１９の頭とが重なっている。因みに、図１２は、主制御装置６３における切断部１５０が形成された側と反対側の半分を示す断面図であるが、切断部１５０側においても各構成体１０１，１０２及び主制御基板９１とは、ほぼ同様の関係を有している。
【０１６５】
このように、主制御基板９１と各構成体１０１，１０２とが重なっているため、いずれか一方の構成体１０１，１０２に形成された切断部１５０を切断し、本来形成される開口１５２の一部のみを開放しても、主制御基板９１は他方の構成体１０１，１０２と引っ掛かり、その取り外しが困難となっている。これにより、主制御基板９１の取り外しに際して、切断部１５０の一部（詳しくは片方の構成体１０１，１０２の切断部１５０）が切断されずに、主制御基板９１の取り外しがなされるといった不都合が生じにくくなっている。換言すれば、主制御装置６３の取り外しに伴って、両構成体１０１，１０２に切断痕跡が残存しやすくなっている。
【０１６６】
次に、基板ボックス９２を開放した後、再度基板ボックス９２を閉鎖するための再閉鎖構造及びそれに付随する構成について説明する。具体的には、残存領域１５１ａ及び除去領域１５１ｂを分離した後、再結合するための再結合手段について説明する。
【０１６７】
図１０に示すように、主制御基板９１と表側構成体１０１とを固定する固定部１１４のベース部１６０には、所定の間隔を隔てて一対のネジ孔１６２が形成されている。それらネジ孔１６２には破断ネジ１６３が、それぞれ仮留め（準備）された状態となっている。これらベース部１６０及び破断ネジ１６３は、主制御基板９１の取り外しに伴って表側構成体１０１からまとめて分離される。
【０１６８】
また、両構成体１０１，１０２には、それらベース部１６０及び破断ネジ１６３とともに再結合手段を構成する結合部が設けられている。具体的には、同図１０に示すように、表側構成体１０１の第２表側周壁部１１２ｃ，１１２ｄには、それら第２表側周壁部１１２，１１２ｄの外面から起立する一対の起立片（結合部）１７０，１７１が一体成形されている。起立片１７０，１７１は、第１切断部１５０ａを挟んだ両側に所定の間隔を隔てて配置されて、上述した主制御基板９１の取り外し方向に並設されている。より詳しくは、残存領域１５１ａ側に起立片１７０が配されているとともに、除去領域１５１ｂ側に起立片１７１が配されている。起立片１７０，１７１には、それぞれ、周壁部１１２，１１２ｄの起立方向と同一方向に延びる貫通孔１７２，１７３が形成されている。また、裏側構成体１０２にはこれら各起立片１７０，１７１に対応する突出部（結合部）１７４，１７５が一体成形されている。突出部１７４，１７５は、両構成体１０１，１０２の境界部位を挟んで起立片１７０，１７１と対峙しており、両構成体１０１，１０２が固定された状態においては、起立片１７０，１７１と接触している。それら突出部１７４，１７５には、貫通孔１７２，１７３に連なるネジ孔１７６，１７７が形成されている。
【０１６９】
これらネジ孔１７６，１７７間の間隔寸法と貫通孔１７２，１７３間の間隔寸法とは、前記ベース部１６０におけるネジ孔１６２間の間隔寸法と同一となっている。上述の如く分離されたベース部１６０及び破断ネジ１６３が、起立片１７０，１７１側から装着され、破断ネジ１６３が貫通孔１７２，１７３を通じてネジ孔１７６，１７７に螺着されることで、ベース部１６０を介して残存領域１５１ａ及び除去領域１５１ｂが再結合される。
【０１７０】
ここで、遊技ホールにおいて主制御基板９１（詳しくはＣＰＵチップ９３）の検査を行う際に主制御基板９１の取り外しを行う場合の作業の様子について、図１４に基づき説明する。図１４は主制御基板９１の取り外しの様子を示す説明図であり、図１４（ａ）は基板ボックス９２の完成状態を示し、図１４（ｂ）はＣＰＵチップ９３を露出させた状態を示し、図１４（ｃ）は主制御基板９１を取り外した状態を示す。主制御基板９１が取り外される際には、図１４（ａ）→図１４（ｂ）→図１４（ｃ）の順に作業が行われる。以下、主制御基板９１の取り外し作業について説明する。
【０１７１】
図１４（ａ）に示すように、遊技場において主制御基板９１の検査を行う場合、遊技機本体１２から、主制御装置６３を取り外す。その後、図１４（ｂ）に示すように、基板ボックス９２の切断部１５０を切断して、除去領域１５１ｂを除去する。詳しくは、切断部１５０を切断した後に、除去領域１５１ｂを主制御装置６３の長手方向に向けて引き抜く。これにより、基板ボックス９２内が開放され、主制御基板９１の素子搭載面９７（ＣＰＵチップ９３）が露出した状態となる。ＣＰＵチップ９３は上記のとおり主制御基板９１に対して半田付けされていないため、同ＣＰＵチップ９３を素子搭載面９７の向く方向に引き抜くことで、ＣＰＵチップ９３を取り出すことができる。これにより、ＣＰＵチップ９３の検査を入念に行うことができる。
【０１７２】
次に、固定部１１４の連結部１６１をニッパ等の工具によって切断することにより、主制御基板９１と残存領域１５１ａとの固定状態を解除する。そして、主制御基板９１の端部を指で引っ張る等することにより、主制御基板９１の取り外しが完了する（図１４（ｃ）参照）。
【０１７３】
ここで、上記のように主制御基板９１（ＣＰＵチップ９３）の基板ボックス９２からの取り出しを容易に行うことができるようにした構成においては、その容易化の構造を用いて、主制御基板９１（ＣＰＵチップ９３）の不正目的での取り出しも容易に行うことができてしまう。これに対して、上記のとおりＣＰＵチップ９３の基板ボックス９２からの取り出しに際しては基板ボックス９２から除去領域１５１ｂを除去する必要があり、当該基板ボックス９２には大きな開口１５２が形成されることとなる。そうすると、ＣＰＵチップ９３の不正目的での取り出しが行われていた場合にはそれを容易に発見することができる。
【０１７４】
次に、ＣＰＵチップ９３や主制御基板９１の検査後において、それらＣＰＵチップ９３や主制御基板９１を基板ボックス９２内に仮収容する場合の作業について図１５に基づき説明する。図１５は主制御基板９１の取り付けの様子を示す説明図であり、図１５（ａ）は主制御基板９１を取り外した状態を示し、図１５（ｂ）は主制御基板９１を収容した状態を示し、図１５（ｃ）は基板ボックス９２の再開放を規制した状態を示す。主制御基板９１が仮収容される際には、図１５（ａ）→図１５（ｂ）→図１５（ｃ）の順に作業が行われる。
【０１７５】
先ず、図１５（ａ）に示すように、主制御基板９１から固定部１１４（詳しくはベース部１６０及び破断ネジ１６３）を取り外す。これら固定部１１４はネジ１１５によって着脱が容易な状態で固定されているため、比較的容易に取り外し作業を行うことができる。次に、固定部１１４が取り除かれた主制御基板９１を残存領域１５１ａの内部へ挿入する。かかる場合、主制御基板９１を当接部１１３，１３４の間に差し込み、それら当接部１１３，１３４に沿って主制御基板９１をスライドさせることにより、組み付け時のばらつきが生じにくくなっている。主制御基板９１を所定の位置まで押し込むことで、コネクタカバー１０４と区画壁部１１７，１１８等とが当接する。これにより、開口部１１６が基板ボックス９２の内方より塞がれることとなる。その後、除去領域１５１ｂを分離前の位置に戻し、開口１５２を塞ぐ。
【０１７６】
次に、図１５（ｂ）に示すように、分離された固定部１１４（詳しくはベース部１６０）を両起立片１７０，１７１に渡した状態にて、破断ネジ１６３をネジ孔１７６，１７７に螺着する。これにより、ベース部１６０を介して両起立片１７０，１７１と両突出部１７４，１７５とがまとめて固定され、残存領域１５１ａ及び除去領域１５１ｂが結合された状態となる（図１５（ｃ）参照）。すなわち、切断部１５０は切断されているものの、ＣＰＵチップ９３及び主制御基板９１が基板ボックス９２内に収容された状態となる。そして、破断ネジ１６３の頭部を螺着後に分離することで、仮収容状態が容易に解除されにくくすることができる。なお、このように、主制御基板９１が基板ボックス９２内に仮収容された状態においては、その主制御基板９１の周縁部と周壁部１１２，１３２とが接触しているため、基板ボックス９２内での主制御基板９１の位置ずれが抑えられる。
【０１７７】
ここで、遊技場においてＣＰＵチップ９３や主制御基板９１を基板ボックス９２から取り出して入念に検査した後に、それらＣＰＵチップ９３や主制御基板９１を遊技機メーカにおいて再検査を行う場合などがある。この場合としては、ＣＰＵチップ９３や主制御基板９１の検査結果が異常であり、それらＣＰＵチップ９３や主制御基板９１の不正交換などが行われていた場合が考えられる。このような場合に、基板ボックス９２に開口部１１６が形成されたまま主制御装置６３が遊技機メーカに搬送される場合を想定すると、搬送途中にＣＰＵチップ９３や主制御基板９１が破損してそれらＣＰＵチップ９３や主制御基板９１の再検査を行うことができなくなってしまう可能性がある。これに対して、上記のように除去領域１５１ｂにより基板ボックス９２の開口部１１６を再度閉鎖することで、搬送途中におけるＣＰＵチップ９３や主制御基板９１の破損の発生が抑制される。
【０１７８】
また、ＣＰＵチップ９３や主制御基板９１の不正交換を行った不正行為者が、主制御装置６３の遊技機メーカへの搬送途中において正規のＣＰＵチップ９３や主制御基板９１に再度交換する行為が想定される。これに対して、上記のとおり除去領域１５１ｂを破断ネジにより螺着することで、除去領域１５１ｂを取り外しづらくなり、正規のＣＰＵチップ９３や主制御基板９１に再度交換しようとする行為を行いづらくすることが可能となる。
【０１７９】
なお、主制御装置６３の遊技機メーカへの搬送途中における不都合として、前者のもののみを想定する場合、除去領域１５１ｂの仮固定は破断ネジである必要はなく、着脱自在な周知のネジを用いて行えばよい。
【０１８０】
次に、パチンコ機１０の電気的構成について、図１６のブロック図に基づいて説明する。図１６では、電力の供給ラインを二重線矢印で示し、信号ラインを実線矢印で示す。
【０１８１】
主制御装置６３に設けられた主制御基板９１には、主制御回路２０２と停電監視回路２０３とが内蔵されている。主制御回路２０２には、ＣＰＵチップ９３が搭載されている。ＣＰＵチップ９３には、当該ＣＰＵチップ９３により実行される各種の制御プログラムや固定値データを記憶したＲＯＭ２０５と、そのＲＯＭ２０５内に記憶される制御プログラムの実行に際して各種のデータ等を一時的に記憶するためのメモリであるＲＡＭ２０６と、割込回路やタイマ回路、データ入出力回路などの各種回路が内蔵されている。
【０１８２】
ＣＰＵチップ９３には、入力ポート及び出力ポートがそれぞれ設けられている。ＣＰＵチップ９３の入力側には、主制御基板９１に設けられた停電監視回路２０３、払出制御装置８２に設けられた払出制御基板２１１及びその他図示しないスイッチ群などが接続されている。この場合に、停電監視回路２０３には電源及び発射制御装置８３に設けられた電源及び発射制御基板２１５が接続されており、ＣＰＵチップ９３には停電監視回路２０３を介して電力が供給される。
【０１８３】
一方、ＣＰＵチップ９３の出力側には、停電監視回路２０３、払出制御基板２１１及び中継端子板２１９が接続されている。払出制御基板２１１には、賞球コマンドなどといった各種コマンドが出力される。中継端子板２１９を介して主制御回路２０２から音声ランプ制御装置６６に設けられた音声ランプ制御基板２２１に対して各種コマンドなどが出力される。
【０１８４】
停電監視回路２０３は、主制御回路２０２と電源及び発射制御基板２１５とを中継し、また電源及び発射制御基板２１５から出力される最大電圧である直流安定２４ボルトの電圧を監視する。
【０１８５】
払出制御基板２１１は、払出装置７８により賞球や貸し球の払出制御を行うものである。演算装置であるＣＰＵ２１２は、そのＣＰＵ２１２により実行される制御プログラムや固定値データ等を記憶したＲＯＭ２１３と、ワークメモリ等として使用されるＲＡＭ２１４とを備えている。
【０１８６】
払出制御基板２１１のＣＰＵ２１２には、入出力ポートが設けられている。ＣＰＵ２１２の入力側には、主制御回路２０２、電源及び発射制御基板２１５、及び裏パック基板７９が接続されている。また、ＣＰＵ２１２の出力側には、主制御回路２０２及び裏パック基板７９が接続されている。
【０１８７】
電源及び発射制御基板２１５は、電源部２１６と発射制御部２１７とを備えている。電源部２１６は、例えば、遊技場等における商用電源（外部電源）に接続されている。そして、その商用電源から供給される外部電力に基づいて主制御回路２０２や払出制御基板２１１等に対して各々に必要な動作電力を生成するとともに、その生成した動作電力を二重線矢印で示す経路を通じて主制御回路２０２や払出制御基板２１１等に対して供給する。発射制御部２１７は、遊技球発射機構５０の発射制御を担うものであり、遊技球発射機構５０は所定の発射条件が整っている場合に駆動される。
【０１８８】
音声ランプ制御基板２２１は、表示制御装置２２５を制御するものである。演算装置であるＣＰＵ２２２は、そのＣＰＵ２２２により実行される制御プログラムや固定値データ等を記憶したＲＯＭ２２３と、ワークメモリ等として使用されるＲＡＭ２２４とを備えている。
【０１８９】
音声ランプ制御基板２２１のＣＰＵ２２２には入出力ポートが設けられている。ＣＰＵ２２２の入力側には中継端子板２１９に中継されて主制御回路２０２が接続されており、主制御回路２０２から出力される各種コマンドに基づいて、表示制御装置２２５を制御する。表示制御装置２２５は、音声ランプ制御基板２２１から入力する表示コマンドに基づいて図柄表示装置４１を制御する。
【０１９０】
以上詳述した本実施の形態によれば、以下の優れた効果を奏する。
【０１９１】
主制御装置６３の基板ボックス９２には切断部１５０が形成されており、当該切断部１５０を切断して、除去領域１５１ｂを除去した場合、遊技制御プログラムを記憶したＣＰＵチップ９３の取り外しを可能とする開口１５２が基板ボックス９２に形成される。そして、切断部１５０は表側構成体１０１と裏側構成体１０２との固定状態を解除する場合よりも切断し易く形成されているため、遊技場においてＣＰＵチップ９３を基板ボックス９２から取り出して入念に検査する場合には、その作業を比較的容易に行うことができる。
【０１９２】
また、切断部１５０を切断して基板ボックス９２の内部空間を開放させた場合には、同基板ボックス９２に開口１５２が形成されるため、仮にＣＰＵチップ９３などに不正を行う目的で切断部１５０を切断して基板ボックス９２の内部空間が開放されていた場合にはその発見を比較的容易に行うことができる。
【０１９３】
さらには、上記のように切断部１５０が設けられた構成においては、当該切断部１５０によって基板ボックス９２の内部空間を良好に開放するための機能が果たされている。したがって、表側構成体１０１と裏側構成体１０２の固定に際しては、基板ボックス９２の内部空間を開放する場合の作業性を考慮する必要がなくなる。これにより、両構成体１０１，１０２の固定を強固なものとすることができる。
【０１９４】
本実施の形態では、表側構成体１０１と裏側構成体１０２との境界部分には接着剤が塗布されており、両構成体１０１，１０２が広範囲に亘って強固に固定されている。このため、各構成体１０１，１０２を撓ませる等して境界部位を広げ、その拡大された境界部位から不正具を挿入しようとしてもそのような行為が行いづらくなっている。両構成体１０１，１０２の固定が強固に行われており、それに伴って、表側構成体１０１と裏側構成体１０２とを不正に分離させようとする行為が行いづらくなっている。
【０１９５】
図９等で示したように、切断部１５０が両構成体１０１，１０２に亘って配置されている。このため、切断部１５０が切断されることで、両構成体１０１，１０２にそれぞれ切断の痕跡が残存することとなる。切断の痕跡が特定の構成体１０１，１０２にのみ限定されず、いずれの構成体１０１，１０２においても確認することができるため、そのような痕跡の把握が容易なものとなっている。
【０１９６】
また、切断部１５０が正規に切断された場合、両構成体１０１，１０２にそれぞれ切断の痕跡が残存することとなる。このため、使用済みの構成体１０１，１０２の中から、切断痕跡の残存していないもの同志が寄せ集められ、切断痕跡を有さない基板ボックスが形成されるといった不都合を生じにくくすることができる。すなわち、正規に切断が行われた構成体１０１，１０２の不正流用を抑制することができる。
【０１９７】
上述の如く、両構成体１０１，１０２の境界部位はその全周にて固定（接着）されている。このため、両構成体１０１，１０２のうちいずれか一方に設けられた切断部１５０のみ切断しても、基板ボックス９２の内部領域へのアクセスは困難である。すなわち、切断部１５０全体を切断することによりはじめて開口１５２が形成され、基板ボックス９２の内部領域へのアクセスが可能となる。このため、両構成体１０１，１０２のうち一方の切断部１５０のみが切断され、他方の切断部１５０が切断されぬまま、ＣＰＵチップ９３等へのアクセスがなされるといった不都合を生じにくくすることができ、両構成体１０１，１０２に切断の痕跡を残存させるといった本来の目的が達成されやすくなっている。
【０１９８】
切断部１５０を切断し、除去領域１５１ｂを取り除くことで形成される開口１５２を介して、主制御基板９１の取り外しが可能となっている。このように主制御基板９１を取り外すことで、主制御基板９１の細部を検査することが容易となっている。
【０１９９】
中間構成体１０３は切断部１５０を挟んで表側平板部１１１の裏面、詳しくは残存領域１５１ａ側と除去領域１５１ｂ側の両側にそれぞれ対峙している。第２切断部１５０ｂのみを切断して、表側平板部１１１の一部を撓ませることで、基板ボックス９２の内部空間へのアクセスを可能とする隙間を捻出し、その隙間を介してＣＰＵチップ９３の取り外しが行われることが想定されるが、上述の如く中間構成体１０３が表側平板部１１１の裏面に接触することで、表側平板部１１１の一部を主制御装置６３の正面側に撓ませることは困難となっている。これによりＣＰＵチップ９３の取り外しが回避されやすくなっている。更に、表側平板部１１１の一部を主制御装置６３の内方へ撓ませることにより隙間を形成した場合、その隙間を形成するための行為によってＣＰＵチップ９３と表側平板部１１１が接触又は近接し、ＣＰＵチップ９３の取り外し方向への移動は困難となる。以上詳述したように、中間構成体１０３を切断部１５０に対応して配置することにより、ＣＰＵチップ９３の不正な取り外しが好適に抑制されている。これにより、第２切断部１５０ｂのみが切断され、裏側構成体１０２に切断痕跡が残存しなくなるといった不都合を生じにくくすることができる。
【０２００】
また、切断部１５０（詳しくは第１切断部１５０ａ）のうち両構成体１０１，１０２の境界部位を跨いでいる部分を確認することで、両構成体１０１，１０２の切断痕跡を一度に確認することができる。このように痕跡確認を効率的に行うことができる部分を、コネクタ群９６の配置領域から離す構成とした。より詳しくは、主制御装置６３の一側部に寄せてコネクタ群９６を配置するとともに、他方に寄せて切断部１５０における前記境界部位を跨いでいる部分（第１切断部１５０ａ）を配置し、両者がコネクタ群９６の配列方向において離れる構成とした。コネクタ群９６には、他の制御機器等と繋がった図示せぬ配線等が接続される。上述の如くコネクタ群９６及び切断部１５０を離間して配置することで、切断部１５０における両構成体１０１，１０２の境界部位を跨いでいる部分の視認性が担保されやすくなっている。
【０２０１】
本実施の形態においては特に、切断部１５０（詳しくは第１切断部１５０ａ）が両構成体１０１，１０２の境界部位を複数の位置にて跨ぐ構成とした。このように、痕跡確認を効率的に行うことができる部分を複数設定することで、確認作業の効率化に貢献している。特に、それら境界部位を跨ぐ部分は、周壁部１１２，１３２に位置しているため、主制御装置６３が取付台６２に搭載されている状態においても、視認可能である。これにより、切断痕跡の確認時に、主制御装置６３を取付台６２に取り付けた状態のまま作業を行うことができ、確認作業の煩雑化が抑制されている。
【０２０２】
また、両ボックス構成体１０１，１０２の境界部位は周壁部１１２，１３２に沿うようにして形成されている一方、切断部１５０は平板部１１１，１３１及び周壁部１１２，１３２に跨るようにして形成されている。すわなち、切断部１５０は、両構成体１０１，１０２の境界部位に沿うようにして形成されているのではなく、同境界部位と別個独立に形成されている。このため、切断部１５０と境界部位との区別を明確に行うことができ、両者の混同を抑制することができる。
【０２０３】
遊技場において切断部１５０を切断して主制御基板９１（特にＣＰＵチップ９３）を検査した後に、その検査済みの主制御装置６３を再度遊技機メーカなどにて検査してもらうために搬送することが考えられる。本実施の形態においては、除去領域１５１ｂを取り外した後、再び元の位置に固定することが可能となっている。これにより、搬送中に主制御基板９１が破損したり、主制御基板９１が不正に入れ替えられたりするといった不都合を生じにくくすることができる。
【０２０４】
図９に示すように、製造工程において主制御装置６３が組み上げられる際には、主制御基板９１が両構成体１０１，１０２によって挟み込まれる。これにより、開口部１１６とコネクタカバー１０４とが好適に合わせ込まれ、両者の間に隙間が発生しにくくなっている。そして、基板ボックス９２を開放し主制御基板９１を取り外す際や、主制御基板９１を取り外した後、主制御基板９１を基板ボックス９２内に仮収容する際には、主制御装置６３の長手方向に向かって主制御基板９１をスライドさせることで、その着脱が可能となっている。このような主制御基板９１の着脱時には、コネクタカバー１０４を装着したまま作業を実施でき、作業の円滑化が図られている。コネクタカバー１０４の取り外しを必要としないため、このコネクタカバー１０４を破断ネジ１１９によって固定する構成とすることができる。これによりコネクタカバー１０４の固定状態を解除する等して開口部１１６に不正具を挿入するための隙間が形成されることを抑制可能となっている。
【０２０５】
更に、表側構成体１０１とコネクタカバー１０４との両者に、主制御基板９１のスライド着脱方向と交差する面をそれぞれ設け、それらが相互に接触することで主制御基板９１のスライド着脱方向と同方向に向けて開放された隙間を塞ぐことができる。すなわち、区画壁部１１７，１１８及び遮蔽部１２６，１２７が、装着完了位置にて接触している。このため、コネクタ９６が露出する開口部１１６を介して、基板ボックス９２の内部空間にアクセスされるといった不都合が発生しにくくなっている。特に、コネクタ９６の配列方向と、主制御基板９１のスライド方向が同一方向となるように設定されているため、区画壁部１１７，１１８及び遮蔽部１２６，１２７の合わせ面を比較的小さくすることができ、上述したような不正行為が行いづらくなっている。なお以下、上述したように面同士を接触させることで隙間の発生を抑える構造を単に「面合わせ構造」と称する。
【０２０６】
以上詳述したように、主制御基板９１の初期の装着方向を素子搭載面９７の面方向とし、スライド着脱の方向を素子搭載面９７と平行とすることで、開口部１１６を塞ぐための面合わせ範囲を要する範囲が広がることを抑えている。仮に、本実施の形態に示すような、主制御基板９１のスライド着脱を可能とする構成を、主制御基板９１の短手方向又は長手方向から当該主制御基板９１を挟んで形成された基板ボックスにおいて実現しようとすれば、以下の不都合が生じやすくなる。すなわち、初めに主制御装置６３を組み上げる際にも、主制御基板９１の装着方向が規制を受けやすくなり、例えば基板ボックスを構成する一方の構成体に対して素子搭載面９７と平行に主制御基板９１を差し込むことが必要となる。このように、素子搭載面９７と平行な方向への装着においては、上述したようなコネクタ露出用の開口部１１６における隙間を塞ぐための面合わせを要する範囲が大きくなりやすくなる。かかる場合において、基板ボックスに開口を形成し、その開口から主制御基板のスライド着脱を行うとすれば、開口を基板ボックスの内部空間を区画する両構成体に跨らせるために、初期の装着方向とスライド着脱方向とを交差（例えば直交）させる必要が生じる。このため、上述した面合わせを要する範囲が更に広がると想定される。以上詳述した事情からも、本実施の形態に示す主制御装置６３は、コネクタ９６周辺における不正具の侵入が好適に抑制されており、優れた防犯機能を有するものであると考えられる。
【０２０７】
（第２の実施の形態）
本実施の形態では、主制御装置の基板ボックスについて、切断部の配置及びそれに付随する構成と、コネクタ及びそれに付随する構成と、固定部による固定状態の解除に関する構成とが上記第１の実施の形態と異なっている。そこで、以下に本実施の形態における主制御装置２３０の構成を説明する。図１７は本実施の形態における主制御装置２３０の構成を説明するための斜視図、図１８は主制御装置２３０を表側から見た分解斜視図、図１９は主制御装置２３０を裏側からみた分解斜視図である。
【０２０８】
主制御装置２３０は、上記第１の実施の形態における主制御装置６３と同様に、主制御基板２３１と基板ボックス２３２とを備えている。また、基板ボックス２３２は、上記第１の実施の形態における基板ボックス９２と同様に、複数のボックス構成体として、表側構成体２３３と裏側構成体２３４とを備えており、それら両構成体２３３，２３４が組み合わされることで区画形成された内部空間に前記主制御基板２３１が収容されている。また、両構成体２３３，２３４（基板ボックス２３２）には、上記第１の実施の形態における両構成体１０１，１０２と同様に、切断部２３５が形成されており、基板ボックス２３２はこの切断部２３５を境界として残存領域２３６と除去領域２３７とに二分されている。
【０２０９】
但し、本実施の形態における切断部２３５は、第１の実施の形態に示す第１切断部１５０ａと略同一となるように形成されており、表側平板部１１１における所定の領域を区画する第２切断部１５０ｂに相当する部分が省略されている。具体的には、切断部２３５は、主制御装置２３０（主制御基板２３１）の長手方向と直交する仮想平面上に配置されており、全体として環状をなしている。このため、切断部２３５を切断し、除去領域２３７を取り外したとしても、ＣＰＵチップ２３８の正面側は表側構成体２３３（詳しくは表側平板部２３９）によって覆われたままとなる。これにより、除去領域２３７を取り除いたとしても、主制御基板２３１を取り外さない限りは、表側平板部２３９によってＣＰＵチップ２３８の取り外しが規制されたまま維持される。
【０２１０】
切断部２３５は、第１の実施の形態と同様に、基板ボックス２３２の内外に貫通する複数の貫通孔２４５が配列されることによって構成されている。一方、第１の実施の形態に示した中間構成体１０３に相当し、これら貫通孔２４５を基板ボックス２３２の内部から塞ぐ遮蔽部材は省略されている。このため、それら貫通孔２４５を介して基板ボックス９２の内外へ空気が移動可能となっており、主制御装置２３０の通気性が確保されている。なお、これら貫通孔２４５は、主制御装置２３０の一側部に偏倚されて配置されているため、仮に貫通孔２４５から不正具が挿入されたとしても、ＣＰＵチップ２３８にはアクセスしづらくなっている。
【０２１１】
表側構成体２３３における切断部２３５から離れた位置には、コネクタ２４６を露出させる複数の開口部２４７が設けられている。より詳しくは、これら開口部２４７は、各コネクタ２４６に１対１で対応して形成されており、それら開口部２４７を介して各コネクタ２４６が個別に露出している。
【０２１２】
ここで、図２０（ａ）に基づいて、コネクタ２４６周辺部位における第１の実施の形態との相違点について説明する。図２０（ａ）は、図１７におけるＣ−Ｃ線部分断面図である。上記第１の実施の形態においては、コネクタ９６と開口部１１６との隙間を塞ぐためにコネクタカバー１０４及び区画壁部１１７等が設けられていたが、本実施の形態においては、これらコネクタカバー１０４等が省略されている。それらの代わりに、各開口部２４７を各コネクタ２４６の外形とほぼ同等の大きさとし、コネクタ２４６の素子搭載面２４８からの起立量を、素子搭載面２４８と表側平板部２３９との隙間寸法とほぼ同等することで、それらコネクタ２４６及び開口部２４７の間に形成される隙間の発生を抑えている。
【０２１３】
主制御基板２３１は、上記第１の実施の形態と同様に、固定部２５０を介して表側構成体２３３に固定されている（図１９参照）。詳しくは、主制御基板２３１の貫通孔２４９に挿通されたネジ２５１が、固定部２５０に形成されたネジ穴２５２に対して、主制御基板２３１の半田面２５３側から螺着されることで、主制御基板２３１の固定がなされている。固定部２５０は、第１の実施の形態と同様に、連結部２５４及びベース部２５５を備えており、これら連結部２５４及びベース部２５５は素子搭載面２４８に接触した状態となっている。
【０２１４】
上記第１の実施の形態においては、連結部１６１をカッタ等の工具によって切断する構成とした。しかしながら、連結部１６１は素子搭載面９７に接触しているため、当該連結部１６１を切断する際に、素子搭載面９７に工具が当たり得る。本実施の形態においてはこのような素子搭載面に対する工具の接触を好適に回避可能な構成を備えている。以下、接触回避に関する構成について、図１９に加え図２０（ｂ）を用いて説明する。図２０（ｂ）は、図１７におけるＤ−Ｄ線部分断面図である。
【０２１５】
図１９に示すように、裏側構成体２３４の裏側平板部２５８において各ネジ２５１に対応する部位には、断続的な環状をなす環状切断部２６１が形成されている。環状切断部２６１は、切断部１５０と同様に、基板ボックス２３２の内外に貫通する複数の貫通孔２６２が環状（詳しくは円状）に配列されてなる。また、環状切断部２６１は、主制御装置２３０の正面視において、ネジ２５１と重なる部位を他の部位に対して区画するように配置されている。これら環状切断部２６１は、同環状切断部２６１が切断されることによって形成される開口を介してドライバ等の工具を挿入可能な大きさに形成されており、同開口を介して挿入された工具によってネジ２５１の取り外しが可能となっている。
【０２１６】
以下、遊技ホールにおいて主制御基板２３１（詳しくはＣＰＵチップ２３８）の検査を行う際に主制御基板２３１の着脱を行う場合の作業の様子について、図２１及び図２２に基づき説明する。図２１は主制御基板２３１の取り外しの様子を示す説明図であり、図２２は主制御基板２３１の取り付け（仮収容）の様子を示す説明図である。図２１（ａ）は基板ボックス２３２の完成状態を示し、図２１（ｂ）は基板ボックス２３２を開放した状態を示し、図２１（ｃ）は主制御基板２３１の固定を解除した状態を示す。また、図２１（ｄ）は、基板ボックス２３２の背面側から見た主制御基板２３１の固定解除の様子を示している。主制御基板２３１が取り外される際には、図２１（ａ）→図２１（ｂ）→図２１（ｃ）の順に作業が行われる。以下、主制御基板２３１の取り外し作業について説明する。
【０２１７】
主制御装置２３０の取り外しから除去領域２３７の取り外しに至るまでのプロセスについては第１の実施の形態と同様であるため、説明を省略する。図２１（ｃ）に示すように、基板ボックス２３２から主制御基板２３１の一部が露出した状態において、環状切断部２６１をニッパやカッタ等の工具によって切断することで、裏側構成体２３４に円状の開口２６３が形成される。それら開口２６３からドライバ等の工具を挿入し、同工具によってネジ２５１を取り外す。これにより、主制御基板２３１と基板ボックス２３２との固定状態が解除され、主制御基板２３１の取り外しが可能となる。なお、本実施の形態においては、切断部２３５を切断することにより基板ボックス２３２を開放した後、主制御基板２３１の固定状態を解除する構成としたが、このプロセスを逆に行ってもよい。すなわち、まず初めに主制御基板２３１の固定状態を解除する。その後、切断部２３５を切断し、基板ボックス２３２を開放してもよい。
【０２１８】
本実施の形態においては、除去領域２３７を取り除いたとしても、主制御基板２３１の固定状態が維持されている場合には、ＣＰＵチップ２３８の取り外しは困難なまま維持され、主制御基板２３１の取り外しを行うことにより、ＣＰＵチップ２３８の取り外しが容易化される。
【０２１９】
次に、ＣＰＵチップ２３８や主制御基板２３１の検査後において、それらＣＰＵチップ２３８や主制御基板２３１を基板ボックス２３２内に仮収容する場合の作業について図２２に基づき説明する。図２２（ａ）は主制御基板９１及び固定部２５０の取り外し状態を示し、図２２（ｂ）は主制御基板２３１を収容した状態を示し、図２２（ｃ）は基板ボックス２３２の再開放を規制した状態を示す。主制御基板２３１が仮収容される際には、図２２（ａ）→図２２（ｂ）→図２２（ｃ）の順に作業が行われる。
【０２２０】
上述したように、主制御基板２３１の固定解除がなされ、当該主制御基板２３１が取り外された状態においては、固定部２５０は基板ボックス２３２内に取り残されている（詳しくは表側構成体２３３に繋がったままとなっている）。これら固定部２５０をニッパやカッタ等の工具によって切り取ることで、第１の実施の形態と同様に、当該固定部２５０を残存領域２３６と除去領域２３７との再結合手段として利用できる。以降の仮収容に関する手順は第１の実施の形態と同様であるため、説明を省略する。
【０２２１】
以上詳述した本実施の形態によれば、上記第１の実施の形態における一部の効果に加え、以下の優れた効果を奏する。すなわち、主制御基板２３１の固定状態を解除する際に、当該主制御基板２３１（詳しくは素子搭載面２４８）を好適に保護することができる。具体的には、切断対象としての連結部２５４は素子搭載面２４８に接触しているため、これらが接触したままの状態で連結部２５４のみを切断するのは難しいと想定される。この点、本実施の形態においては、事前に主制御基板２３１と連結部２５４とを離間させることができるため、連結部２５４を切断する際に、工具が連結部２５４を貫通し素子搭載面２４８に接触するといった不都合は生じにくくなっている。
【０２２２】
また、主制御基板２３１を取り除いた後で、連結部２５４の切断を行えるため、基板ボックス２３２内における作業スペースの確保が容易となる。これにより、連結部２５４の両面に工具を当ることができるため、カッタ等の片刃の工具に代えて、ニッパ等の両刃の工具の使用が可能となる。
【０２２３】
更に、ネジ２５１を取り外すための環状切断部２６１が、裏側構成体２３４（基板ボックス２３２における半田面２５３側）に形成されている。このため、環状切断部２６１を構成する貫通孔２６２を介して不正具等が挿入された場合であっても、素子搭載面２４８側へのアクセスが好適に抑制される。これは、開口２６３が形成された後においても同様であり、開口２６３を介して不正具が挿入されたとしても、素子搭載面２４８（例えばＣＰＵチップ２３８）に対する不正は行われにくくなっている。これにより。作業性の向上と防犯性の担保とを好適に両立することができる。
【０２２４】
（他の実施の形態）
なお、上述した各実施の形態の記載内容に限定されず、例えば次のように実施してもよい。ちなみに、以下の別形態の構成を、上記各実施の形態における構成に対して、個別に適用してもよく、相互に組み合わせて適用してもよい。
【０２２５】
また、複数の実施の形態にて共通で使用している部分名称や部材名称等に関しては、１つの実施の形態で用いられている部分番号や部材番号のみを付属した状態で記載するが、これに限定されるものではない。すなわち、予め指定した他の実施の形態に用いられている部分番号や部材番号を適応することも可能である。
【０２２６】
（ａ）上記各実施の形態では、主制御基板９１を表側及び裏側から覆う２つの構成体１０１，１０２を用いて基板ボックス９２を形成したが、これを以下のように変更してもよい。すなわち、主制御基板９１の長手方向における両側又は短手方向における両側から当該主制御基板９１を覆う２つの構成体を用いて基板ボックスを形成してもよい。かかる場合、基板ボックスにおける主制御基板９１の板面と対向する部位に両構成体が存在しやすくなると考えられる。基板ボックスにおける主制御基板９１の板面と対向する部位に両構成体に跨る切断部を設けるとよい。例えば、両構成体間の境界部位を含んだ領域を区画する切断部を設けるとよい。なお、上記各実施の形態と同様に、切断部によって周壁部の一部を区画することにより、切断部を切断した後、主制御基板９１をその板面と平行な方向に取り外し可能とすることが望ましい。
【０２２７】
（ｂ）上記各実施の形態では、両構成体１０１，１０２を結合する結合手段として接着剤を用いる構成としたが、これを変更し、破断ネジや封印シール等の固定具を用いる構成としてもよい。またこれら各結合手段を組み合わせて用いる構成としてもよい。
【０２２８】
また、超音波や熱を用いて両構成体１０１，１０２を一体化する構成とすることも可能である。更には、両構成体１０１，１０２の境界部位全域にて結合する構成としたが、これに限定されるものではなく、境界部位全域のうち所定の部位のみ結合する構成としてもよい。但し、望ましくは、残存領域１５１ａにおける前記境界部位と、除去領域１５１ｂにおける前記境界部位との両方に、結合部位を設定するとよい。
【０２２９】
上記封印シールについて簡単に説明する。封印シールは、貼り付けた後に剥がすと粘着剤層が貼付対象に残り、再貼付不可となるものである。封印シールが設けられていることにより、基板ボックス９２が不正に開放された場合には、それを発見することが可能となる。このような封印シールを両構成体１０１，１０２の境界部位を跨ぐようにして貼り付けるとよい。
【０２３０】
（ｃ）上記各実施の形態では、主制御基板９１を表側構成体１０１に固定する構成としたが、これを変更し、裏側構成体１０２に固定する構成としてもよい。具体的には、固定部１１４を表側構成体１０１に代えて裏側構成体１０２に設けるとよい。但し、第２の実施の形態に本別例を適用する場合、固定部に螺着されているネジを取り外すための環状切断部が表側構成体２３３側に形成されることとなる。このため、環状切断部が切断されることにより、素子搭載面２４８側に開口が形成される。素子搭載面２４８は不正の対象となりやすいため、このような開口が形成されることは好ましくない。故に、望ましくは、固定部は表側構成体１０１側に設けるとよい。
【０２３１】
（ｄ）上記各実施の形態では、固定部１１４の連結部１６１が素子搭載面９７に対して接触する構成としたが、これを変更し、連結部１６１と素子搭載面９７との間に所定の隙間が確保される構成としてもよい。具体的には、図２３の（ａ）に示すように、ベース部２７０と主制御基板９１との接触を担保しつつ、連結部２７１を表側平板部１１１側にオフセットさせるとよい。すなわち、固定部２７２を、ベース部２７０と連結部２７１とが素子搭載面９７側から表側平板部１１１側に向けて段差状をなすように形成するとよい。これにより、連結部２７１を切断する際の工具と素子搭載面９７との接触を回避しやすくすることができる。また、連結部２７１と素子搭載面９７との隙間を広げておくことで、連結部２７１を切断する際に、それら連結部２７１と素子搭載面９７との間に工具を挿入することが可能となる。これにより、例えばニッパ等の使用が可能となり切断作業の容易化に貢献することができる。
【０２３２】
また、主制御基板９１における連結部１６１と対峙している部分を切除等することにより、連結部１６１周辺における作業スペース（工具隙）を確保することも可能である。
【０２３３】
（ｅ）上記各実施の形態では、固定部１１４を残存領域１５１ａ及び除去領域１５１ｂを仮固定する際の固定手段として用いる構成としたが、これに限定されるものではない。残存領域１５１ａ及び除去領域１５１ｂを仮固定する固定手段を別途設け、固定部１１４を主制御基板９１の固定にのみ用いる構成としてもよい。
【０２３４】
また、主制御基板９１を仮収容する際に使用される破断ネジ１６３を基板ボックス９２の内部に収容（準備）する構成としたが、これら破断ネジ１６３は基板ボックス９２と別に準備してもよい。
【０２３５】
（ｆ）上記各実施の形態では、切断部１５０における各構成体１０１，１０２の境界部位を跨いでいる部分が、同境界部位と直交する構成としが、必ずしもこれに限定されるものではない。すなわち、両者は交差していればよく、直交していなくてもよい。但し、両者が平行に近くなると、境界部位を跨ぐ部分を切断する際に工具が境界部位に沿ってずれやすくなると想定される。故に、望ましくは、両者を直交させるとよい。
【０２３６】
（ｇ）上記各実施の形態では、切断部１５０を複数の直線状部分が連なる構成としたが、これを変更し、切断部１５０が全体として曲線状をなす構成とすることも可能である。
【０２３７】
（ｈ）切断部１５０を塞ぐ封印シールを設けてもよい。また、封印シールとして、所定のスキャナからの呼出波に応答して、固有のＩＤ情報を含む応答波を発信するＩＣタグを有するものを用いてもよい。これにより、切断部１５０の切断痕跡が隠蔽されるといった不都合が生じにくくなる。
【０２３８】
（ｉ）両構成体１０１，１０２に形成された切断部１５０が、基板ボックス９２の内外に重なる構成とすることも可能である。具体的には、図２３（ｂ）に示すように、両構成体２７５，２７６の周壁部２７７，２７８を内外に重ねて配置する。そして、これら周壁部２７７，２７８の外面側から見て重複するように、両周壁部２７７，２７８にそれぞれ切断部２７９を設けてもよい。
【０２３９】
（ｊ）上記各実施の形態では、基板ボックス９２に形成された切断部１５０を断続的な環状をなす構成としたが、連続的な環状をなす構成とすることも可能である。以下、基板ボックス９２に形成された切断部１５０の変形例を、図２３（ｃ），（ｄ）に基づいて説明する。
【０２４０】
（ｊ−１）図２３（ｃ）に示す切断部２８０は、基板ボックス９２の内外に貫通する貫通孔ではなく、有底の溝を形成することにより設けられている。なお、当該溝は横断面Ｖ字状に限定されることはなく、Ｕ字状であってもよい。本構成であっても、基板ボックス９２に切断部２８０が形成されているため、基板ボックス９２の内部空間の開放に関して上記第１の実施の形態と同様の効果を得ることができる。また、本構成においては、切断部２８０にて通気口としての機能が果たされないが、切断部２８０を通じて不正具を挿入しようとする行為が行われることはないため、中間構成体１０３を不具備としてもよい。
【０２４１】
（ｊ−２）図２３（ｄ）に示す切断部２９０は、基板ボックス９２の内外に貫通する貫通孔や溝ではなく、基板ボックス９２における他の部位を構成する材料よりも強度の弱い材料を適用することにより設けられている。本構成であっても、基板ボックス９２に切断部２９０が形成されているため、基板ボックス９２の内部空間の開放に関して上記第１の実施の形態と同様の効果を得ることができる。また、本構成においては、切断部２９０にて通気口としての機能が果たされないが、切断部２９０を通じて不正具を挿入しようとする行為が行われることはないため、中間構成体１０３を不具備としてもよい。
【０２４２】
（ｋ）上記各実施の形態では、基板ボックス９２が切断部１５０によって、当該基板ボックス９２の長手方向に２分される構成としたが、これを変更し基板ボックス９２の短手方向に２分される構成としてもよい。
【０２４３】
（ｌ）上記各実施の形態では、各コネクタ９６の配列方向と主制御基板９１のスライド着脱方向（主制御装置６３の長手方向）とが同一となるように設定したが、これに限定されるものではない。例えば、コネクタ９６の配列方向と主制御基板９１のスライド着脱方向とが交差する構成としてもよい。但し、第１の実施の形態においては、コネクタ９６の配列方向と主制御基板９１のスライド着脱方向とが交差する場合、開口部１１６における区画壁部とコネクタカバーとの合わせ面が大きくなりやすくなる。このような合わせ面の拡大は不正具侵入防止の観点から好ましくない。故に、望ましくは、コネクタ９６の配列方向と主制御基板９１のスライド着脱方向とが同一となるように設定するとよい。
【０２４４】
（ｍ）上記各実施の形態においては、ＣＰＵチップ９３や主制御基板９１の検査後における仮収容の構成を不具備としてもよい。また、ＣＰＵチップ９３や主制御基板９１の検査後における仮収容に際しては、ＣＰＵチップ９３が搭載される側の板面を裏側構成体１０２の裏側平板部１３１側に向けて仮収容させることを可能とする構成としてもよい。
【０２４５】
（ｎ）上記各実施の形態では、ＣＰＵ，ＲＯＭ，ＲＡＭが１チップ化されたＣＰＵチップ９３を主制御基板９１に搭載したが、これに代えて、ＲＯＭ専用の素子を主制御基板９１に搭載してもよい。この場合、少なくともそのＲＯＭ専用の素子に関して、上記第１の実施の形態における基板ボックス９２の各構成，具体的には表側平板部１１１におけるＲＯＭ専用の素子と対峙する部分を第２切断部１５０ｂにより区画する構成を適用するとよい。
【０２４６】
なお、上記実施の形態ではＣＰＵチップ９３を用いる構成としたがこれに限定されるものではない。少なくとも遊技における大当たりや確変等の各種抽選を行うためのプログラムを記憶し、それら各種抽選を実施するチップであればよい。また、少なくとも抽選結果に影響を与えるチップであればよい。
【０２４７】
（ｏ）上記第１の実施の形態では、中間構成体１０３が溝部１５５を有する構成としたが、溝部１５５を有さない構成とすることも可能である。例えば、中間構成体が表側平板部１１１と対向する板状をなす構成としてもよい。また、中間構成体１０３の装着対象を除去領域１５１ｂに代えて残存領域１５１ａとすることも可能である。
【０２４８】
（ｐ）上記各実施の形態では、切断部１５０によって第１周壁部１１２ｂが区画される構成、すなわち切断部１５０を切断することにより第１周壁部１１２ｂが除去される構成としたが、必ずしもこれに限定されるものではない。例えば、第１周壁部１１２ｂの一部が切断部によって区画され、切断部が切断されることで、第１周壁部１１２ｂ開口が形成される構成としてもよい。少なくとも、主制御基板９１の一部を露出することので切る開口が、両構成体１０１，１０２に跨って形成されればよい。
【０２４９】
（ｑ）上記各実施の形態では、残存領域１５１ａ及び除去領域１５１ｂを再結合する際に用いられる起立片１７０，１７１及び突出部１７４，１７５を主制御基板９１のスライド方向と同一方向に並べて配置したが、これに限定されるものではなく、少なくとも残存領域１５１ａ側と除去領域１５１ｂ側にそれぞれ配置されていればよい。但し、望ましくは、それら起立片や突出片は、切断部１５０を挟んだ両側に設けられているとよい。
【０２５０】
また、残存領域１５１ａ及び除去領域１５１ｂの両領域において、両構成体１０１，１０２は接着剤により相互に固定されている。このため、上記起立片１７０，１７１を省略したとしても、両領域１５１ａ，１５１ｂの仮結合は可能である。
【０２５１】
（ｒ）上記各実施の形態では、主制御基板９１のスライド方向（取り外し方向）にて、主制御基板９１又はそれに付随する構成（詳しくは半田）と、各構成体１０１，１０２が重なる構成としたが、これを以下のように変更してもよい。具体的には、主制御基板９１のスライド方向（取り外し方向）にて、主制御基板９１自身と各構成体１０１，１０２が重なる構成としてもよい。
【０２５２】
（ｓ）上記第２の実施の形態では、主制御基板２３１と固定部２５０とを結合するネジ２５１を半田面２５３側から取り付ける構成、すなわち、ネジ２５１の頭が半田面２５３側に位置する構成としたが、これを以下のように変更することも可能である。すなわち、ネジ２５１を素子搭載面２４８側から取り付ける構成、換言すれば、ネジ２５１の頭が素子搭載面２４８側に位置する構成とすることも可能である。かかる場合、環状切断部２６１は、裏側構成体２３４ではなく表側構成体２３３に形成するとよい。但し、このように、環状切断部を表側構成体２３３側に形成した場合、仮にその環状切断部を介して不正具等が挿入されると素子搭載面２４８へのアクセスが容易なものとなるおそれが生じる。このような不都合は、環状切断部が切断されて、開口が形成された場合に顕著なものとなると想定される。故に、環状切断部は、望ましくは、裏側構成体２３４詳しくは半田面２５３側に配置することが好ましい。
【０２５３】
（ｔ）上記各実施の形態では、両構成体１０１，１０２の境界と切断部１５０とが直交する構成としたが、それら両者が直交してはいないものの、交差している構成とすることも可能である。但し、それら境界部位と切断部とが平行に近づくことに伴って、切断部を切断する際に工具が境界部位に沿ってそれやすくなることが懸念される。故に、望ましくは、両者を直交させるとよい。
【０２５４】
（ｕ）上記各実施の形態においては、基板ボックス９２から開口１５２を介して主制御基板９１を取り外し可能となるように構成したが、これを変更し主制御基板９１の取り外しを規制する構成としてもよい。例えば、主制御基板９１のほぼ全体が開口１５２を介して突出した状態で、それ以上の取り外し方向への移動を規制する規制部（例えばストッパ）を形成してもよい。これにより、主制御基板の検査時等の作業性を担保しつつ、主制御基板９１が不正に入れ換えられるといった不都合の発生を好適に抑制することができる。
【０２５５】
（ｖ）上記各実施の形態において主制御装置の基板ボックスに適用した構成を、音声ランプ制御装置６６、払出制御装置８２、電源及び発射制御装置８３といった他の制御装置に対して適用してもよい。
【０２５６】
（ｗ）上記各実施の形態では、外側貯留部として上皿５７ａと下皿５８ａとを備えたパチンコ機１０に本発明を適用したが、これに代えて、単一の外側貯留部を備えたパチンコ機に本発明を適用してもよい。また、停電監視装置を主制御装置６３とは別に設けることで、主制御基板９１は主制御回路２０２のみの機能を有する構成としてもよい。
【０２５７】
（ｘ）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２５８】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも、本発明を適用できる。
【０２５９】
本スロットマシンは、前方に開放された箱状をなす筐体と、当該筐体の開口を塞ぐ前面扉とを備えており、筐体内に制御基板装置が収容されている。この場合に、制御基板装置の基板ボックスにおいて切断部の形成された部分が前面扉を開放した場合に視認可能となるように、制御基板装置を配置することで、切断部が切断されているか否かの確認を容易に行うことができる。
【０２６０】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【符号の説明】
【０２６１】
１０…パチンコ機、６３…主制御装置、９１…主制御基板、９２…基板ボックス、９３…ＣＰＵチップ、９６…コネクタ、９７…素子搭載面、１０１…表側構成体、１０２…裏側構成体、１０３…中間構成体、１０４…コネクタカバー、１１１…表側平板部、１１２…表側周壁部、１１４…固定部、１１６…開口部、１１７，１１８…区画壁部、１２６，１２７…遮蔽部、１３１…裏側平板部、１３２…裏側周壁部、１５０…切断部、１５０ａ…第１切断部、１５０ｂ…第２切断部、１５１ａ…残存領域、１５１ｂ…除去領域、１５２…開口、１５３…貫通孔、１５５…溝部、１６０…ベース部、１６１…連結部、１６３…破断ネジ、１７０，１７１…起立片、１７４，１７４…突出部。
【図１】
0005655849.tif 000002
【図２】
0005655849.tif 000003
【図３】
0005655849.tif 000004
【図４】
0005655849.tif 000005
【図５】
0005655849.tif 000006
【図６】
0005655849.tif 000007
【図７】
0005655849.tif 000008
【図８】
0005655849.tif 000009
【図９】
0005655849.tif 000010
【図１０】
0005655849.tif 000011
【図１１】
0005655849.tif 000012
【図１２】
0005655849.tif 000013
【図１３】
0005655849.tif 000014
【図１４】
0005655849.tif 000015
【図１５】
0005655849.tif 000016
【図１６】
0005655849.tif 000017
【図１７】
0005655849.tif 000018
【図１８】
0005655849.tif 000019
【図１９】
0005655849.tif 000020
【図２０】
0005655849.tif 000021
【図２１】
0005655849.tif 000022
【図２２】
0005655849.tif 000023
【図２３】
0005655849.tif 000024